(57)【要約】本発明は背もたれ部がそり返る際、同時に足乗せ台が連動して持ち上げられるようにし、シャンプするお客様がより楽な状態でシャンプーサービスを受けることができるようにする座敷型シャンプー椅子に関するもので、本発明は第1脚フレーム(102)と；上記の第1脚フレーム(102)から一定の間隔を置いて位置された第2脚フレーム(104)と；上記の第1脚フレーム(102)の後方一側と上記の第2脚フレーム(104)の後方一側の間に設置される固定台(106)と；上記の固定台(106)の一側に設置された第3ローダー(180)と；上記の第3ローダー(180)の一側に設置され、上記の第3ローダー(180)の動きによって椅子の座支持台(150)を動かす第2ローダー(178)と；上記の第3ローダー(180)の一側に設置され、上記の第3ローダー(180)の動きにより背もたれ板(162)を動かす第1ローダー(168)を含む。【代表図】【図１】
2015527121.tif 000002
【特許請求の範囲】
【請求項１】
第1脚フレーム(102)と;
上記の第1脚フレーム(102)から一定の間隔を置いて位置された第2脚フレーム(104)と;
上記の第1脚フレーム(102)の後方一側と上記の第2脚フレーム(104)の後方一側の間に設置される固定台(106)と;
上記の固定台(106)の一側に設置された第3ローダー(180)と;
上記の第3ローダー(180)の一側に設置され、上記の第3ローダー(180)の動きによって椅子の座支持台(150)を動かす第2ローダー(178)と;
上記の第3ローダー(180)の一側に設置され、上記の第3ローダー(180)の動きによって背もたれ板(162)を動かす第1ローダー(168)を含んだのを特徴とする座敷型シャンプー椅子。
【請求項２】
第1脚フレーム(102)と;
上記の第1脚フレーム(102)から一定の間隔を置いて位置された第2脚フレーム(104)と;
上記の第1脚フレーム(102)の後方一側と上記の第2脚フレーム(104)の後方一側の間に設置される固定台(106)と;
上記の固定台(106)の一側に設置された第3ローダー(180)と;
上記の第3ローダー(180)の一側に設置され、上記の第3ローダー(180)の動きによって椅子の座支持台(150)を動かす第2ローダー(178)と;
上記の第3ローダー(180)の一側に設置され、上記の第3ローダー(180)の動きによって”L”字型背もたれ支持台(158)を動かす第1ローダー(168)と;
上記の”L”字型背もたれ支持台(158)に設置され、上記の”L”字型背もたれ支持台(158)の動きによって動く背もたれ板(162)を含んむのを特徴とする座敷型シャンプー椅子。
【請求項３】
第1脚フレーム(102)と;上記の第1脚フレーム(102)から一定の間隔を置いて位置された第2脚フレーム(104)と;上記の第1脚フレーム(102)の後方一側と上記の第2脚フレーム(104)の後方一側の間に設置される固定台(106)と;上記の固定台(106)の一側に設置された第3ローダー(180)と;上記の第3ローダー(180)の一側に設置されると同時に第1、第2、第3及び第4回転レバー(136)(138)に設置され、上記の第3ローダー(180)の動きによって上記の第1、第2、第3及び第4回転レバー(136)(138)(140)(142)を動かす第2ローダー(178)と;上記の第2ローダー(178)に設置されると同時に椅子の座支持台(150)に設置され、上記の第2ローダー(178)の動きによって上記の椅子の座支持台(150)を動かす第1、第2、第3及び第4回転レバー(136)(138)(140)(142)と;上記の第3ローダー(180)の一側に設置され、上記の第3ローダー(180)の動きによって”L”字型背もたれ支持台(158)を動かす第1ローダー(168)と;上記の”L”字型背もたれ支持台(158)に設置されて上記の”L”字型背もたれ支持台(158)の動きによって動く背もたれ板(162)を含んで構成されたのを特徴とする座敷型シャンプー椅子。
【請求項４】
”∩”字形状の第1脚フレーム(102)と;上記の”∩”字形状の
第1脚フレーム(102)から一定の間隔を置いて位置された”∩”字形状の
第2脚フレーム(104)と;上記の”∩”字形状の第1脚フレーム(102)の後方一側と上記の
”∩”字形状の第2脚フレーム(104)の後方一側の間に設置される固定台(106)と;
上記の”∩”字形状の第1脚フレーム(102)の前方一側に設置される第1突起片(108)と;
上記の”∩”字形状の第2脚フレーム(104)の前方一側に設置される第2突起片(110)と;
上記の”∩”字形状の第1脚フレーム(102)の上面一側に設置される第1水平板(112)と;
上記の”∩”字形状の第2脚フレーム(104)の上面一側に設置される第2水平板(113)と;
上記の第1水平板(112)の端部に垂直に延長設置され、上記の第1突起片(108)の端部に設置される第1側板(114)と;上記の第2水平板(113)の端部に垂直に延長設置され、上記の第2突起片(110)の端部に設置される第2側板(116)と;上記の第1側板(114)の端部と第2側板(116)の端部に水平に延長設置され、上記の第1突起片(108)の端部と上記の第2突起片(110)の端部に設置される支持板(118)と;上記の支持板(118)の上面一側に設置された第1垂直板(120)と;上記の
第1垂直板(120)から一定の間隔を置いて上記の支持板(118)の上面一側に設置された
第2垂直板(122)と;上記の第1垂直板(120)の上部一側に一定の間隔を置いて形成された第1及び第2貫通孔(124)(126)と;上記の第1垂直板(120)の第1貫通孔(124)に対応できるよう上記の
第2垂直板(122)の上部一側に形成された第3貫通孔(128)と;上記の第1垂直板(120)の
第2貫通孔(126)に対応できるよう上記の第2垂直板(122)の上部一側に形成された
第4貫通孔(130)と;上記の第1貫通孔(124)、第3貫通孔(128)に挿入、固定される
第1シャフト(132)と;上記の第2貫通孔(126)、第4貫通孔(130)に挿入、固定される
第2シャフト(134)と;上記の第2シャフト(134)の一側端部に回転可能に設置された第1回転レバー(136)と;上記の第1シャフト(132)の一側端部に回転可能に設置されるが、本体の中央に第5貫通孔(137)を持つ第2回転レバー(138)と;上記の第2シャフト(134)の他側端部に回転可能に設置された第3回転レバー(140)と;上記の第1シャフト(132)の他側端部に回転可能に設置されるが、本体の中央に上記の第2回転レバー(138)の第5貫通孔(137)に対応できるよう第6貫通孔(141)を持つ第4回転レバー(142)と;上記の第5貫通(137)、第6貫通孔(141)に挿入、固定される第3シャフト(144)と;上記の第1側板(114)と第1垂直板(120)の間に位置され、上記の第1回転レバー(136)と第2回転レバー(138)に設置され、第1及び第2回転レバー(136)(138)の動作によって動くが、本体の端に第7貫通孔(145)を持つ第1ガイド(146)と;上記の第2側板(116)と第2垂直板(122)の間に位置され、上記の第3回転レバー(140)と第4回転レバー(142)に設置され、第3及び第4回転レバー(140)(142)の動作によって動くが、本体の端に第8貫通孔(147)を持つ第2ガイド(148)と;上記の第1ガイド(146)の上面と第2ガイド(148)の上面に一定の間隔を置いて設置される椅子の座支持台(150)と;上記の第7貫通(145)、第8貫通孔(147)に挿入、固定される第4シャフト(152)と;上記の第4シャフト(152)の一側端部と他側端部に回転可能に設置されるが、本体の端に第9及び第10貫通孔(154)(156)を持つ”L”字型背もたれ支持台(158)と;上記の第9貫通孔(154)、第10貫通孔(156)に挿入、固定される第5シャフト(160)と;上記の第5シャフト(160)に回転可能に設置される背もたれ板(162)と;上記の第5シャフト(160)に回転可能に一定の長さで垂直で設置され、上記の背もたれ板(162)を動かすが、本体の端に第11及び第12貫通孔(164)(166)を持つ第1ローダー(168)と;上記の第11貫通孔(164)、第12貫通孔(166)に挿入、固定される
第6シャフト(169)と;上記の固定台(106)の中央に突き出されて設置されるが、本体の端に第13及び第14貫通孔(170)(172)を持つ結合部(174)と;上記の
第13貫通孔(170)、第14貫通孔(172)に挿入、固定される第7シャフト(176)と;上記の
第3シャフト(144)と第6シャフト(169)に設置され、第2回転レバー(138)と
第4回転レバー(142)を動かす第2ローダー(178)と;上記の第6シャフト(169)と
第7シャフト(176)に回転可能に設置され、上記の第1ローダー(168)及び第2ローダー(178)を動かす第3ローダー(180)を含んで構成されたのを特徴とする座敷型シャンプー椅子。
【請求項５】
足乗せ台の操作に椅子の座支持台及び背もたれ支持台が動くようにする椅子フレーム(502)と;
上記の椅子フレーム(502)の椅子の座支持台に設置され、クッションを提供するクッション用の座台(504)と;
上記の椅子フレーム(502)の背もたれ支持台に設置され、クッションを提供するクッション用の背もたれ部(506)を含むのを特徴とする座敷型シャンプ椅子
【請求項６】
足乗せ台の操作に椅子の座支持台及び背もたれ支持台が動くようにする椅子フレーム(502)と;
上記の椅子フレーム(502)の椅子の座支持台に設置され、クッションを提供するクッション用の座台(504)と;
上記の椅子フレーム(502)の背もたれ支持台に設置され、クッションを提供するクッション用の背もたれ部(506)を含み、
上記の椅子フレーム(502)は、
上の方向または下の方向に動く足乗せ台(526)と;
上記の足乗せ台(526)に設置され、足乗せ台(526)の動きによって上の方向、または下の方向に動く第1垂直ローダー(528)と;
上記の第1垂直ローダー(528)に斜めに設置され、第1垂直ローダー(528)の動きによって上の方向、または下の方向に動く第2傾斜ローダー(532)と;
上記の第2傾斜ローダー(532)に設置され、第2傾斜ローダー(532)の動きによって前進または後進する水平ローダー(534)と;
上記の水平ローダー(534)に設置され、水平ローダー(534)の動きによって上の方向、または下の方向に動くスライディング手段(536)と;
上記のスライディング手段(536)に設置され、スライディング手段(536)の動きによって上の方向、または下の方向に動く椅子の座支持台(538)を含むのを特徴とする座敷型シャンプー椅子。
【請求項７】
足乗せ台の操作に椅子の座支持台及び背もたれ支持台が動くようにする椅子フレーム(502)と;上記の椅子フレーム(502)の椅子の座支持台に設置され、クッションを提供するクッション用の座台(504)と;上記の椅子フレーム(502)の背もたれ支持台に設置され、クッションを提供するクッション用の背もたれ(506)を含み、上記の椅子フレーム(502)は、上の方向、または下の方向に動く足乗せ台(526)と;上記の足乗せ台(526)に設置され、足乗せ台(526)の動きによって上の方向、または下の方向に動く第1垂直ローダー(528)と;上記の第1垂直ローダー(528)に斜めに設置され、第1垂直ローダー(528)の動きによって上の方向、または下の方向に動く第2傾斜ローダー(532)と;上記の第2傾斜ローダー(532)に設置され、第2傾斜ローダー(532)の動きによって前進、または後進する水平ローダー(534)と;上記の水平ローダー(534)に設置され、水平ローダー(534)の動きによって上の方向、または下の方向に動くスライディング手段(536)と;上記のスライディング手段(536)に設置され、スライディング手段(536)の動きによって上の方向、または下の方向に動く椅子の座支持台(538)と;上記の椅子の座支持台(538)に回動可能に設置された背もたれ支持台(540)と;上記の第2傾斜ローダー(532)に垂直に設置され、上記の第2傾斜ローダー(532)の動きによって上の方向、または下の方向に動く第2垂直ローダー(542)と;上記の第2垂直ローダー(542)と背もたれ支持台(540)の間に回動可能に設置され、上記の第2垂直ローダー(542)の動きによって背もたれ支持台(540)を回動させる回転ローラー(544)を含むのを特徴とする座敷型シャンプー椅子。
【請求項８】
足乗せ台の操作に椅子の座支持台及び背もたれ支持台が動くようにする椅子フレーム(502)と;上記の椅子フレーム(502)の椅子の座支持台に設置され、クッションを提供するクッション用の座台(504)と;上記の椅子フレーム(502)の背もたれ支持台に設置され、クッションを提供するクッション用の背もたれ(506)を含み、上記の椅子フレーム(502)は第1脚(508)と;上記の第1脚(508)から一定の間隔を置いて位置された第2脚(510)と;上記の第1脚(508)と第2脚(510)の間に設置された前方連結台(512)と;上記の第1脚(508)から一定の間隔を置いて位置された第3脚(514)と;上記の第3脚(508)から一定の間隔を置いて位置された第4脚(516)と;上記の第3脚(514)と第4脚(516)の間に設置された後方連結台(518)と;上記の前方連結台(512)と後方連結台(518)の間に設置された第1支持台(520)と;上記の第1支持台(520)から一定の間隔を置いて上記の前方連結台(512)と後方連結台(518)の間に設置された第2支持台(522)と;上記の第3脚(514)と第4脚(516)の間に位置され、上の方向、または下の方向に動く足乗せ台(526)と;上記の足乗せ台(526)に設置されて足乗せ台(526)の動きによって上の方向、または下の方向に動く第1垂直ローダー(528)と;上記の第1及び第2支持台(520)(522)と足乗せ台(526)の間に斜めに設置され、上記の足乗せ台(526)を元の位置に戻す第1傾斜ローダー(530)と;上記の第1垂直ローダー(528)に斜めに設置され、第1垂直ローダー(528)の動きによって上の方向、または下の方向に動く第2傾斜ローダー(532)と;上記の第1支持台(520)と第2支持台(522)の間に位置されるが、上記の第2傾斜ローダー(532)に設置され、上記の第2傾斜ローダー(532)の動きによって前進、または後進する水平ローダー(534)と;上記の第1支持台(520)の前方と第2支持台(522)の前方の間に上下にスライディング可能に設置されると同時に上記の水平ローダー(534)に設置され、水平ローダー(534)の動きによって上の方向、または下の方向に動くスライディング手段(536)と;上記のスライディング手段(536)に設置され、スライディング手段(536)の動きによって上の方向、または下の方向に動く椅子の座支持台(538)と;上記の椅子の座支持台(538)に回動可能に設置された背もたれ支持台(540)と;上記の第2傾斜ローダー(532)に垂直に設置され、上記の第2傾斜ローダー(532)の動きによって上の方向、または下の方向に動く第2垂直ローダー(542)と;上記の第2垂直ローダー(542)と背もたれ支持台(540)の間に回動可能に設置され、上記の第2垂直ローダー(542)の動きによって背もたれ支持台(540)を回動させる回転ローラー(544)を含んだのを特徴とする座敷型シャンプー椅子。
【発明の詳細な説明】
【技術分野】
【０００１】
本発明は理・美容院でお客様のシャンプをする時、お客様の頭を反らす状態で仰向けになるように座らすシャンプー椅子に関するもので、より詳しくは背もたれ部がそり返る時、同時に足乗せ台が連動して持ち上げられるようにし、シャンプするお客様がより状態リラックスした状態でシャンプーサービスを受けることができるようにする座敷型シャンプー椅子に関するものである。
【０００２】
また、本発明は足乗せ台を利用し、背もたれ支持台がそり返る時、同時に椅子の座支持台が連動して持ち上げられるようにし、シャンプするお客様がより楽な状態でシャンプーサービスを受けることができるようにする座敷型シャンプー椅子に関するものである。
【背景技術】
【０００３】
一般的に、多くの理・美容室で使われているシャンプー椅子は電動式シャンプー椅子と座敷型シャンプ椅子に分けられ、上記の電動式シャンプー椅子はモーターを利用し、椅子の高さを調節するもので、椅子背もたれ部もモーター駆動によって水平を成す構造になっていて、歯科用の椅子に似ている構造を持つ。そして、上記のの座敷型シャンプー椅子は椅子と、その後でシャンプーができるようシャンプー台を備え、使用者が頭を後に反らし、顔は仰向けにするようにしてシャンプー用として使われている。
【０００４】
上記の座敷型シャンプー椅子は大韓民国特許庁にたくさん出願されている実情にあり、
一番目の例は2003年09月30日付け、出願番号第20-2003-0030829号(発明の名称：シャンプー用椅子)は、身体を支える座台部、座台部の左右側に設置されるひじ掛け及び座台部の後ろ側に背もたれ部を装着したシャンプー用椅子と、シャンプー用椅子に近接した位置に頭髪洗浄組を具備したものにおいて、上記の座台部(11)と背もたれ部(12)は軸棒(30)によって折り畳みが可能になるよう装着するが、ガスエブソーバー(20)のような緩衝手段によって緩やかな速度で動くようにするものと、上記の座台部(11)と足乗せ台(13)はヒンジ(23)によって折り畳みが可能になるように装着するが、座台部(11)と足乗せ台(13)をリンク(22a)(22b)して連結する連動手段によって上記の背もたれ部(12)と連動するようにするものと、上記の座台部(11)の底面一側に装着し、座台部(11)を支える本体(15)と、上記の本体(15)の一側上端にシャワー幾(17)を備えた頭髪洗浄組(16)を一体に具備する。
【０００５】
二番目の例は、2004年11月01日付け、出願番号、第20-2004-0030798号(名称：シャンプー台が一体に具備された美容椅子)は、下部に垂直フレーム(40)が具備されるシーツ(32)と;上記のシーツ(32)の後半部に位し、端部がお互いにヒンジピン(38)によって繋がれる背もたれ(34)と;髪を洗うための陶器(12)が上部に具備され、その下部に上記の陶器(12)を支持する支持フレーム(14)が形成されるシャンプー台(10)と;上記のシーツ(32)の下部に位し、上記の支持フレーム(14)の下部が固定され、内部に直線往復運動するピストン(44)を持つ駆動手段が具備されるベース(20)と;上記のベース(20)の一側に一端部がヒンジ結合され、他端部は上記の垂直フレーム(40)の一側にヒンジ結合され、中央一側には上記のピストン(44)の端部がヒンジ結合され、上記のピストン(44)の直線運動の時、一定の軌跡を描いて昇下降される第1支持軸(42)と;上記のシーツ(32)が平たい状態で昇下降するることができるよう、シーツ(32)を支持するように上記の第1支持軸(42)に段差を取って平行に位し、上記のベース(20)の一側に一端部が
ヒンジ結合され、他端部は上記の椅子の下部にヒンジ結合され、上記の第1支持軸(42)が昇下降の時に一緒に昇下降される第2支持軸(43)と;上記のシーツ(32)の昇下降の時に背もたれ(34)が立てられたり平らになるよう、上記の背もたれ(34)の後面一側と上記の支持フレーム(14)の一側に両端部がそれぞれヒンジ結合される支持部材(60);で成り立つ。
【０００６】
三番目の例は、2006年03月06日付け、出願番号第20-2006-0005919号(名称：椅子とシャンプー台一体型安心頭髪洗浄器機)は、駆動手段によってリンク装置(40)が動作され、上記のリンク装置によって椅子(10)の左台(11)が昇降されると同時に背もたれ(13)と脚の支柱(15)の回転、展開が連動されて、上記の駆動手段はシャンプー台(20)を支持するフレーム(50)内に設置され、上記のフレーム(50)の上部に背もたれ(13)支持のためのフレーム側ブラケット(51)が突き出して設置され、上記の背もたれ(13)は上記のフレーム側のブラケットト(51)にヒンジ結合される椅子とシャンプー台一体型の安心頭髪洗浄器機において、上記の駆動手段(300)はモーターの回転力を減速出力する軸(340)にねじ結合され、ケーシング(360)から進出、または沒入されるピストン軸(350)がケーシング(360)内に収納設置される減速アクチュエータユニット(301)で成り立ち、上記のピストン軸(350)が上記のリンク装置(40)にヒンジ(353)結合される。
【０００７】
四番目の例は、2004年02月06日付け、出願番号JP 2004-031118号(名称：理美容椅子とシャンプー台一体型安心頭髪洗浄器機)は、座面の基礎板と、上記の座面の基礎板に対し、スライド可能に設置される座面部と、上記の座面部の後ろ側から延長されるアームの上端に回動が自由に軸支持されるサーブ背もたれと、記の座面部の裏面に設置されるラックと、上記のラックに対してギアー結合・解除されるラック側を向けてスプリングが力を受けるロックピンと、上記の座面基礎板から起立して形成される起立板に回動が自由に軸支持されるメイン背もたれ部が設置される背もたれ板と、その背もたれ板に連結されるガスシリンダーと、上記の座面基礎板に回動が自由に軸支持されるハンドルなどの操作手段を具備し、上記の操作手段が初期の位置にあるのと上記のロックピンがスプリングで力を受けることによって上記のラックとギアー結合状態にあって、上記の操作手段を操作すると上記のガスシリンダーがフリー状態になって被施術者の上記のメイン背もたれぶへの荷重により、上記の背もたれ板が腰の後方向に回動されると同時に上記のロックピンと上記のラックとのギアー結合が解除されて座面部の移動が可能になり、上記の座面部が移動すると上記のアームが移動し、サーブ背もたれ部が移動することで被施術者の腰の部分に合わせるように回動し、また、操作手段を戻すとガスシリンダーのフリー状態が提示され、背もたれ板は腰の後ろの位置でロックされると同時にロックピンとラックとのギアー結合が行われ、座面部は移動位置でロックされることになる。
【０００８】
しかしながら、上記のような従来のシャンプ用の椅子は人によって座高の高さが違うことにより、シャンプー台の首ふり部(首を支える凹部)と座台との適切な間隔維持が難しく、椅子の座台がスライドする時、重量中心が身体の下部の方に傾く現象によって首周りが引かれる構造で、特に筋力が衰弱している高齢者には大きな負担になっている問題点があった。
【０００９】
＜技術的な課題＞
したがって、本発明は上記の従来技術による諸般の問題点を解決するため、改良発明されたもので、本発明の目的は人体の構造上、人は腰を基準に上・下に分けた時、上部すなわち、腰の上の部分が人体の下部の足部位より重さが重いのに着眼し、シャンプー椅子の背もたれ部に重みが加わると、その重さの力がローダーを通じて回転レバーを押し、その回転レバーに附着した椅子の座支持台が上昇する構造になっていて、人の上半身が水平に近いほど大きな力が生成されるようにし、シャンプするお客様がよりリラックスした状態でシャンプーサービスを受けることができるようにする座敷型シャンプー椅子を提供するのにある。
【技術的な解決手段】
【００１０】
上記の目的を果たすための本発明による座敷型シャンプー椅子は、”∩”字形状の第1脚フレーム(102)と;上記の”∩”字形状の第1脚フレーム(102)から一定の間隔を置いて位置された”∩”字形状の第2脚フレーム(104)と;上記の”∩”字形状の第1脚フレーム(102)の後方一側と
上記の”∩”字形状の第2脚フレーム(104)の後方一側の間に設置される固定台(106)と;
上記の”∩”字形状の第1脚フレーム(102)の前方一側に設置される第1突起片(108)と;
上記の”∩”字形状の第2脚フレーム(104)の前方一側に設置される第2突起片(110)と;
上記の”∩”字形状の第1脚フレーム(102)の上面一側に設置される第1水平板(112)と;
上記の”∩”字形状の第2脚フレーム(104)の上面一側に設置される第2水平板(113)と;
上記の第1水平板(112)の端部に垂直に延長設置され、上記の第1突起片(108)の端部に設置される第1側板(114)と;上記の第2水平板(113)の端部に垂直に延長設置され、上記の第2突起片(110)の端部に設置される第2側板(116)と;上記の第1側板(114)の端部と第2側板(116)の端部に水平に延長設置され、上記の第1突起片(108)の端部と上記の第2突起片(110)の端部に設置される支持板(118)を含む。
【有利な効果】
【００１１】
以上で上述したように本発明による座敷型シャンプー椅子は腰の上の部分が人体の下部の足部位より重さが重いのに着眼し、シャンプー椅子の背もたれ部位に重さが加わると、その重さの力がローダーを通じて回転レバーを押し、その回転レバーに附着された椅子の座支持台が上昇する構造になっていて、人の上半身が水平に近いほど大きな力が生成されるようにし、シャンプするお客様がより楽な状態でシャンプーサービスを受けることができるようにすることで、シャンプするお客様がより楽な状態でシャンプーサービスを受けることができる効果がある。
【００１２】
また、本発明は腰の上の部分が人体の下部の足の部位より重さが重いのに着眼し、シャンプー椅子の背もたれ部位に重さが加わると足乗せ台を操作することで、垂直ローダーを通じて椅子の座支持台を押し、その椅子の座支持台が上昇する構造になっていて、人の上半身が水平に近いほど大きな力が生成されるようにし、シャンプするお客様がより楽な状態でシャンプーサービスを受けることができるようにした効果がある。
【図面の簡単な説明】
【００１３】
【図１】本発明による座敷型シャンプー椅子を表した図面
【図２】本発明による座敷型シャンプー椅子の要部を分解した図面
【図３】図１の座敷型シャンプー椅子のフレームを表した図面
【図４】図１の座敷型シャンプー椅子のフレームを平面要部を概略的に表した図面
【図５】図1の分解図
【図６】本発明による座敷型シャンプー椅子の使用状態を表した図面
【図７】図6の座敷型シャンプー椅子のフレームの使用状態を表した図面
【図８】図6の座敷型シャンプー椅子のフレームの使用状態を表した図面
【図９】本発明による座敷型シャンプー椅子で使用者がシャンプーをする過程を表した図面
【図１０】本発明による座敷型シャンプー椅子の他の実施例の分解図
【図１１】図10の椅子フレームを表した図面
【図１２】図10の椅子フレームの断面要部を概略的に表した図面
【図１３】図10の椅子フレームを分解した図面
【図１４】図10の椅子フレームの使用状態を表した図面
【発明を実施するための最善の形態】
【００１４】
図1は本発明による座敷型シャンプー椅子を表した図面で、図2は本発明による座敷型シャンプー椅子の要部を分解した図面で、図3は図1の座敷型シャンプー椅子のフレームを表した図面で、図4は図1の座敷型シャンプー椅子のフレームの平面要部を概略的に表した図面であり、図5は図3の分解図である。
【００１５】
図1つから図5に図示されたように本発明による座敷型シャンプー椅子(100)は、”∩”字形状の第1脚フレーム(102)と;上記の”∩”字形状の第1脚フレーム(102)から一定の間隔を置いて位置された”∩”字形状の第2脚フレーム(104)と;上記の”∩”字形状の第1脚フレーム(102)の後方一側と上記の”∩”字形状の第2脚フレーム(104)の後方一側の間に設置される固定台(106)と;上記の”∩”字形状の第1脚フレーム(102)の前方一側に設置される第1突起片(108)と;上記の”∩”字形状の第2脚フレーム(104)の前方一側に設置される第2突起片(110)と;上記の”∩”字形状の第1脚フレーム(102)の上面一側に設置される第1水平板(112)と;上記の”∩”字形状の第2脚フレーム(104)の上面一側に設置される第2水平板(113)と;上記の第1水平板(112)の端部に垂直に延長、設置され、上記の第1突起片(108)の端部に設置される第1側板(114)と;上記の第2水平板(113)の端部に垂直に延長、設置され、上記の第2突起片(110)の端部に設置される第2側板(116)と;上記の第1側板(114)の端部と第2側板(116)の端部に水平に延長、設置され、上記の第1突起片(108)の端部と上記の第2突起片(110)の端部に設置される支持板(118)と;上記の支持板(118)の上面一側に設置された第1垂直板(120)と;上記の第1垂直板(120)から一定の間隔を置いて上記の支持板(118)の上面一側に設置された第2垂直板(122)と;上記の第1垂直板(120)の上部一側に一定の間隔を置いて形成された第1及び第2貫通孔(124)(126)と;上記の第1垂直板(120)の第1貫通孔(124)に対応されるよう上記の第2垂直板(122)の上部一側に形成された第3貫通孔(128)と;上記の第1垂直板(120)の第2貫通孔(126)に対応するよう、上記の第2垂直板(122)の上部一側に形成された第4貫通孔(130)と;上記の第1貫通孔(124)、第3貫通孔(128)に挿入、固定される第1シャフト(132)と;上記の第2貫通孔(126)、第4貫通孔(130)に挿入、固定される第2シャフト(134)と;上記の第2シャフト(134)の一側端部に回転可能に設置された第1回転レバー(136)と;上記の第1シャフト(132)の一側端部に回転可能に設置されるが、本体の中央に第5貫通孔(137)を持つ第2回転レバー(138)と;上記の第2シャフト(134)の他側端部に回転可能に設置された第3回転レバー(140)と;上記の第1シャフト(132)の他側端部に回転可能に設置されるが、本体の中央に上記の第2回転レバー(138)の第5貫通孔(137)に対応するよう、第6貫通孔(141)を持つ第4回転レバー(142)と;上記の第5貫通(137)、第6貫通孔(141)に挿入、固定される第3シャフト(144)と;上記の第1側板(114)と第1垂直板(120)の間に位置され、上記の第1回転レバー(136)と第2回転レバー(138)に設置され、第1及び第2回転レバー(136)(138)の動作によって動くが、本体の端に第7貫通孔(145)を持つ第1ガイド(146)と;上記の第2側板(116)と第2垂直板(122)の間に位置され、上記の第3回転レバー(140)と第4回転レバー(142)に設置され、第3及び第4回転レバー(140)、(142)の動作によって動くが、 本体の端に第8貫通孔(147)を持つ第2ガイド(148)と;上記の第1ガイド(146)の上面と第2ガイド(148)の上面一定の間隔を置いて設置される椅子の座支持台(150)と;上記の第7貫通(145)、第8貫通孔(147)に挿入、固定される第4シャフト(152)と;上記の第4シャフト(152)の一側端部と他側端部に回転可能に設置されるが、本体の端に第9、及び第10貫通孔(154)(156)を持つ”L”字型背もたれ支持台(158)と;上記の第9貫通孔(154)、第10貫通孔(156)に挿入、固定される第5シャフト(160)と;上記の第5シ��フト(160)に回転可能に設置される背もたれ板(162)と;上記の第5シャフト(160)に回転可能に一定の長さの垂直に設置され、上記の背もたれ板(162)を動かすが、本体の端に第11及び第12貫通孔(164)(166)を持つ第1ローダー(168)と;上記の第11貫通孔(164)、第12貫通孔(166)に挿入、固定される第6シャフト(169)と;上記の固定台(106)の中央に突き出されて設置されるが、本体の端に第13及び第14貫通孔(170)(172)を持つ結合部(174)と;上記の第13貫通孔(170)、第14貫通孔(172)に挿入、固定される第7シャフト(176)と;上記の第3シャフト(144)と第6シャフト(169)に設置され、第2回転レバー(138)と第4回転レバー(142)を動かす第2ローダー(178)と;上記の第6シャフト(169)と第7シャフト(176)に回転可能に設置され、上記の第1ローダー(168)及び第2ローダー(178)を動かす第3ローダー(180)と;上記の第1水平板(112)の上面に設置された第1ひじ掛け部(182)と;上記の第2水平板(113)の上面に設置された第2ひじ掛け部(184)と;上記の椅子の座支持台(150)の上面に設置されたクッション用の座台(186)と;上記の背もたれ板(162)の上面に設置されたクッション用背もたれ(188)で構成される。
【００１６】
上記のように構成された本発明による座敷型シャンプー椅子(100)の組み立て過程及び動作図6から図9を参照して説明すると次のようである。
【００１７】
まず、”∩”字形状の第1脚フレーム(102)を位置させた後、上記の”∩”字形状の第1脚フレーム(102)から一定の間隔を置いて”∩”字形状の第2脚フレーム(104)を位置させる。それから、上記の”∩”字形状の第1脚フレーム(102)の後方一側と上記の”∩”字形状の第2脚フレーム(104)の後方一側の間に固定台(106)を設置する。そして、上記の”∩”字形状の第1脚フレーム(102)の前方一側に第1突起片(108)を設置した後、上記の”∩”字形状の第2脚フレーム(104)の前方一側に第2突起片(110)を設置する。それから上記の”∩”字形状の第1脚フレーム(102)の上面一側に第1水平板(112)を設置した後、上記の”∩”字形状の第2脚フレーム(104)の上面一側に第2水平板(113)を設置する。そして、上記の第1水平板(112)の端部に垂直に第1側板(114)を延長、設置した後、上記の第1側板(114)を第1突起片(108)の端部に設置する。そして、上記の第2水平板(113)の端部に垂直に第2側板(116)を延長、設置した後、［0099］上記の第2側板(116)を第2突起片(110)の端部に設置する。そして、上記の第1側板(114)の端部と第2側板(116)の端部に水平に支持板(118)を延長、設置した後、上記の支持板(118)を上記の第1突起片(108)の端部と上記の第2突起片(110)の端部に設置する。そして、上記の支持板(118)の上面一側に第1垂直板(120)を設置した後、上記の第1垂直板(120)から一定の間隔を置いて上記の支持板(118)の上面一側に第2垂直板(122)を設置する。この時、上記の第1垂直板(120)の上部一側に一定の間隔を置いて第1及び第2貫通孔(124)(126)を形成すると同時に、上記の第1垂直板(120)の第1貫通孔(124)に対応するよう、上記の第2垂直板(122)の上部一側に第3貫通孔(128)を形成し、上記の第1垂直板(120)の第2貫通孔(126)に対応されるよう、上記の第2垂直板(122)の上部一側に第4貫通孔(130)を形成する。そして、上記の第1貫通孔(124)、第3貫通孔(128)に第1シャフト(132)を挿入して固定した後、上記の第2貫通孔(126)、第4貫通孔(130)に第2シャフト(134)を挿入して固定する。そして、上記の第2シャフト(134)の一側端部に回転可能に第1回転レバー(136)を設置し、上記の第1シャフト(132)の一側端部に回転可能に第2回転レバー(138)を設置する。ここで、上記の第2回転レバー(138)は第5貫通孔(137)を持つ。そして、上記の第2シャフト(134)の他側端部に回転可能に第3回転レバー(140)を設置し、上記の第1シャフト(132)の他側端部に回転可能に第4回転レバー(142)を設置する。ここで、上記の第4回転レバー(142)は第5貫通孔(137)に対応するよう第6貫通孔(141)を持つ。そして、上記の第5貫通(137)、第6貫通孔(141)に第3シャフト、(144)を挿入して固定する。
【００１８】
そして、上記の第1側板(114)と第1垂直板(120)の間に第1ガイド(146)を位置した後、上記の第1ガイド(146)の側面に第1回転レバー(136)と第2回転レバー(138)を設置する。ここで、上記の第1ガイド(146)は端に第7貫通孔(145)を持つ。そして、上記の第2側板(116)と第2垂直板(122)の間に第2ガイド(148)を位置した後、上記の第2ガイド(148)の側面に第3回転レバー(140)と第4回転レバー(142)を設置する。ここで、上記の第2ガイド(148)は端に第8貫通孔(147)を持つ。
【００１９】
そして、上記の第1ガイド(146)の上面と第2ガイド(148)の上面に一定の間隔を置いて椅子の座支持台(150)を設置する。そして、上記の第1ガイド(146)の第7貫通(145)、第2ガイド(148)の第8貫通孔(147)に第4シャフト(152)を挿入して固定した後、上記の第4シャフト(152)の一側端部と他側端部に回転可能に”L”字型背もたれ支持台(158)を設置する。ここで、上記の”L”字型背もたれ支持台(158)の端に第9及び第10貫通孔(154)(156)を持つ。そして、上記の”L”字型背もたれ支持台(158)の第9貫通孔(154)、”L”字型背もたれ支持台(158)の第10貫通孔(156)に第5シャフト(160)を挿入して固定する。そして、上記の第5シャフト(160)に背もたれ板(162)を回転可能に設置した後、上記の第5シャフト(160)に第1ローダー(168)を回転可能に設置する。ここで、上記の第1ローダー(168)は端に第11及び第12貫通孔(164)(166)を持つ。
【００２０】
そして、上記の第1ローダー(168)の第11貫通孔(164)、第1ローダー(168)の第12貫通孔(166)に第6シャフト(169)を挿入して固定する。そして、上記の固定台(106)の中央に結合部(174)を設置する。ここで、上記の結合部(174)は端に第13及び第14貫通孔(170)(172)を持つ。そして、上記の結合部(174)の第13貫通孔(170)、結合部(174)の第14貫通孔(172)に第7シャフト(176)を挿入して固定する。そして、上記の第3シャフト(144)と第6シャフト(169)に第2ローダー(178)を設置する。そして、上記の第6シャフト(169)と第7シャフト(176)に上記の第1ローダー(168)及び第2ローダー(178)を動かす第3ローダー(180)を設置する。そして、上記の第1水平板(112)の上面に第1ひじ掛け部(182)を設置して、上記の第2水平板(113)の上面に第2ひじ掛け部(184)を設置し、上記の椅子の座支持台(150)の上面にクッション用の座台(186)を設置して上記の背もたれ板(162)の上面にクッション用の背もたれ(188)を設置する。
【００２１】
上記のように本発明による座敷型シャンプー椅子の組み立てが完了した後、シャンプーするため使用者がクッション用座台(186)に着席して洗面台に頭を位置した場合、使用者はクッション用背もたれ(188)を後に押す。上記のクッション用背もたれ(188)の動作によって第5シャフト(160)に回転可能に設置された背もたれ板(162)が回転する。上記の背もたれ板(162)の回転によって第4シャフト(152)に繋がれた”L”字型背もたれ支持台(158)がやや上に持ち上げられると同時に第5シャフト(160)に回転可能に設置された第1ローダー(168)が回転しながら下側に動く。上記の第1ローダー(168)の動作により、第6シャフト(169)に繋がれた第3ローダー(180)が下側に動く。上記の第3ローダー(180)の動きによって上記の第3ローダー(180)は第6シャフト(169)に繋がれた第2ローダー(178)を座敷型シャンプー椅子(100)の前方に押す。上記の第2ローダー(178)の動きによって第1回転レバー(136)と第2回転レバー(138)と第3回転レバー(140)と第4回転レバー(142)は時計回りに動く。上記の第1回転レバー(136)と第2回転レバー(138)と第3回転レバー(140)と第4回転レバー(142)の動きによって、第1ガイド(146)と第2ガイド(148)が上側に動く。上記の第1ガイド(146)と第2ガイド(148)の動きよって椅子の座支持台(150)に設置されたクッション用の座台(186)の前の部分がやや上に持ち上げられる。
【００２２】
反対に、シャンプーが完了した後、使用者がクッション用の座台(186)を元の位置に戻す場合、使用者はクッション用の座台(186)を後に押す。上記のクッション用座台(186)の動作によって第4シャフト(152)に繋がれた”L”字型背もたれ支持台(158)が下に下る(元の位置)と同時に、第5シャフト(160)に回転可能に設置された第1ローダー(168)が回転しながら上側に動く。この時、上記の第5シャフト(160)に回転可能に設置された背もたれ板(162)が元の位置に戻る。上記の第1ローダー(168)の動作によって第6シャフト(169)に繋がれた第3ローダー(180)が上側に動く。上記の第3ローダー(180)の動きによって上記の第3ローダー(180)は第6シャフト(169)に繋がれた第2ローダー(178)を座敷型シャンプー椅子(100)の後方に引っぱる。上記の第2ローダー(178)の動きによって第1回転レバー(136)と第2回転レバー(138)と第3回転レバー(140)と第4回転レバー(142)は反時計回りに動く。上記の第1回転レバー(136)と第2回転レバー(138)と第3回転レバー(140)と第4回転レバー(142)の動きによって第1ガイド(146)と第2ガイド(148)が下側に動く。上記の第1ガイド(146)と第2ガイド(148)の動きによって椅子の座支持台(150)に設置されたクッション用の座台(186)が下の元の位置に戻る。
【発明の実施のための形態】
【００２３】
図10は本発明による座敷型シャンプー椅子の他の実施例の分解図で、図11は図10の椅子フレームを表した図面であり、図12は図10の椅子フレームを断面要部を概略的に表した図面で、図13は図10の椅子フレームを分解した図面であり、図14は図10の椅子フレームの使用状態を表した図面である。
【００２４】
図10から図14に図示されたように本発明による座敷型シャンプー椅子(500)の他の実施例は、
足乗せ台の操作に椅子の座支持台及び背もたれ支持台が動くようにする椅子フレーム(502)と;上記の椅子フレーム(502)の椅子支持台に設置されクッションを提供するクッション用の座台(504)と;上記の椅子フレーム(502)の背もたれ支持台に設置されクッションを提供するクッション用の背もたれ部(508)を含む。ここで、上記の椅子フレーム(502)は、第1脚(508)と;上記の第1脚(508)から一定の間隔を置いて位置された第2脚(510)と;上記の第1脚(508)と第2脚(510)の間に設置された前方連結台(512)と;上記の第1脚(508)から一定の間隔を置いて位置された第3脚(514)と;上記の第3脚(508)から一定の間隔を置いて位置された第4脚(516)と;上記の第3脚(514)と第4脚(516)の間に設置された後方連結台(518)と;上記の前方連結台(512)と後方連結台(518)の間に設置された第1支持台(520)と;上記の第1支持台(520)から一定の間隔を置いて上記の前方連結台(512)と後方連結台(518)の間に設置された第2支持台(522)と;上記の第3脚(514)と第4脚(516)の間に位置され、上の方向、または下の方向にに動く足乗せ台(526)と;上記の足乗せ台(526)に設置され、足乗せ台(526)の動きによって上の方向、または下の方向に動く第1垂直ローダー(528)と;上記の第1及び第2支持台(520)(522)と足乗せ台(526)の間に斜めに設置され、上記の足乗せ台(526)を元の位置に戻す第1傾斜ローダー(530)と;上記の第1垂直ローダー(528)に斜めに設置され、第1垂直ローダー(528)の動きによって上の方向、または下の方向に動く第2傾斜ローダー(532)と;上記の第1支持台(520)と第2支持台(522)の間に位置されるが、第2傾斜ローダー(532)に設置され、上記の第2傾斜ローダー(532)の動きによって前進、または後進する水平ローダー(534)と;上記の第1支持台(520)の前方と第2支持台(522)の前方の間に上下にスライディング可能に設置されると同時に、上記の水平ローダー(534)に設置され、水平ローダー(534)の動きによって上の方向、または下の方向に動くスライディング手段(536)と;上記のスライディング手段(536)に設置され、スライディング手段(536)の動きによって上の方向、または下の方向に動く椅子の座支持台(538)と、上記の椅子の座支持台(538)に回動可能に設置された背もたれ支持台(540)と;上記の第2傾斜ローダー(532)に垂直に設置され、上記の第2傾斜ローダー(532)の動きによって上の方向、または下の方向に動く第2垂直ローダー(542)と;上記の第2垂直ローダー(542)と背もたれ支持台(540)の間に回動可能に設置され、上記の第2垂直ローダー(542)の動きによって背もたれ支持台(540)を回動させる回転ローラー(544)を含む
【００２５】
上記のように構成された本発明による座敷型シャンプー椅子(500)の他の実施例の組み立て過程、及び動作を説明すると次のようである。
【００２６】
まず、第1脚(508)を位置させた後、上記の第1脚(508)から一定の間隔を置いて第2脚(510)を位置させる。そして、上記の第1脚(508)と第2脚(51c)の間に前方連結台(512)を設置する。そして、上記の第1脚(508)から一定の間隔を置いて第3脚(514)を位置させた後、上記の第3脚(508)から一定の間隔を置いて第4脚(516)を位置させる。そして、上記の第3脚(514)と第4脚(516)の間に後方連結台(518)を設置する。そして、上記の前方連結台(512)と後方連結台(518)の間に第1支持台(520)と設置した後、上記の第1支持台(520)から一定の間隔を置いて上記の前方連結台(512)と後方連結台(518)の間に第2支持台(522)を設置する。そして、上記の第3脚(514)と第4脚(516)の間に上の方向、または下の方向に動く足乗せ台(526)を位置させた後、上記の足乗せ台(526)に足乗せ台(526)の動きによって上の方向、または下の方向に動く第1垂直ローダー(528)を設置する。そして、上記の第1及び第2支持台(520)(522)と足乗せ台(526)の間に斜めに上記の足乗せ台(526)を元の位置に戻す第1傾斜ローダー(530)を設置する。
【００２７】
そして、上記の第1垂直ローダー(528)に斜めに上記の第1垂直ローダー(528)の動きによって上の方向、または下の方向に動く第2傾斜ローダー(532)を設置する。そして、上記の第1支持台(520)と第2支持台(522)の間に水平ローダー(534)を位置した後、上記の第2傾斜ローダー(532)に第2傾斜ローダー(532)の動きによって前進、または後進する水平ローダー(534)を設置する。そして、上記の第1支持台(520)の前方と第2支持台(522)の前方の間に上下にスライディング可能にスライディング手段(536)を設置した後、上記のスライディング手段(536)を水平ローダー(534)を設置する。そして、上記のスライディング手段(536)にスライディング手段(536)の動きによって上の方向、または下の方向に動く椅子の座支持台(538)を設置した後、上記の椅子の座支持台(538)に回動可能に背もたれ支持台(540)を設置する。そして、上記の第2傾斜ローダー(532)に垂直するように、第2傾斜ローダー(532)の動きによって上の方向、または下の方向に動く第2垂直ローダー(542)を設置すると同時に、上記の第2垂直ローダー(542)に第2垂直ローダー(542)の動きによって背もたれ支持台(540)を回動させる回転ローラー(544)を設置する。
【００２８】
上記のように足乗せ台の操作に椅子の座支持台及び背もたれ台が動くようにする椅子フレーム(502)の組み立てが完成したら上記の椅子フレーム(502)の椅子の座支持台にクッションを提供するクッション用の座台(504)を設置すると同時に上記の椅子フレーム(502)の背もたれ支持台にクッションを提供するクッション用の背もたれ(506)設置する。
【００２９】
上記のように本発明による座敷型シャンプー椅子の組み立てが完了したら髪をシャンプーするためにお客様がクッション用の座台(504)に着席して洗面台に頭を位置する場合
まず、作業者はクッション用背もたれ(188)を押した後、足乗せ台(526)を下の方向に押す。 上記の足乗せ台(526)が下の方向に動くことにしたがって、上記の足乗せ台(526)に設置された第1垂直ローダー(528)が下の方向に動く。 そして、上記の第1垂直ローダー(538)が下の方向に動く時、第1垂直ローダー(528)に設置された第2傾斜ローダー(532)が下の方向に動くと同時に上記の第2傾斜ローダー(532)は水平ローダー(534)を前方に前進させる。 これによって、上記の水平ローダー(534)は前進する。 上記の水平ローダー(534)の前進によって上記水平ローダー(534)に繋がれたスライディング手段(536)が上の方向に動く。
【００３０】
そして、上記スライディング手段(536)に設置された椅子支柱(536)が上の方向に動き、上記の椅子の座支持台(536)に回動可能に設置された背もたれ支持台(540)が時計回りに回動し、上記の背もたれ支持台(540)は回転ローラー(544)によって、もう一度時計回りに回転をする。 したがって、上記の椅子支柱(536)にクッション用の座台(504)が設置され、背もたれ支持台(540)にクッション用背もたれ部(506)が設置されていて、上記のクッション用の背もたれ部(506)に位置された顧客が時計回りに回動すると同時に顧客の頭が洗面台に位置される。
【図１】
2015527121.tif 000003
【図２】
2015527121.tif 000004
【図３】
2015527121.tif 000005
【図４】
2015527121.tif 000006
【図５】
2015527121.tif 000007
【図６】
2015527121.tif 000008
【図７】
2015527121.tif 000009
【図８】
2015527121.tif 000010
【図９】
2015527121.tif 000011
【図１０】
2015527121.tif 000012
【図１１】
2015527121.tif 000013
【図１２】
2015527121.tif 000014
【図１３】
2015527121.tif 000015
【図１４】
2015527121.tif 000016
【手続補正書】
【提出日】平成27年1月27日(2015.1.27)
【手続補正１】
【補正対象書類名】明細書
【補正対象項目名】全文
【補正方法】変更
【補正の内容】
【発明の詳細な説明】
【技術分野】
【０００１】
本発明はシャンプー椅子に関するもので、より詳しくは背もたれ部がそり返る時、同時に足乗せ台が連動して持ち上げられるようにし、シャンプするお客様がより楽な状態でシャンプーサービスを受けることができるようにする座敷型シャンプー椅子に関するものである。
【０００２】
そして、本発明は足乗せ台を利用し、背もたれ支持台がそり返る時、同時に椅子の座支持台が連動して持ち上げられるようにし、シャンプするお客様がより楽な状態でシャンプーサービスを受けることができるようにする座敷型シャンプー椅子に関するものである。
【背景技術】
【０００３】
主に、一般的に、床屋や、美容院で使われているシャンプー椅子は電動式シャンプー椅子と座敷型シャンプ椅子に分けられ、上記の電動式シャンプー椅子はモーターを利用し、椅子の高さを調節するもので、椅子背もたれ部もモーター駆動によって水平を成す構造で、歯科用の椅子に似ている構造を持つ。そして、上記のの座敷型シャンプー椅子は椅子と、その後でシャンプーができるようシャンプー台を備え、使用者が頭を後に反らし、顔は仰向けにするようにしてシャンプー用に使われている。
【０００４】
上記の座敷型シャンプー椅子は大韓民国特許庁にたくさん出願されている実情にあり、2003年 09月 30日付け、出願番号第20-2003-0030829号(発明の名称：シャンプー用椅子)は、身体を支える座板部、座板部の左右側に設置されるひじ掛け及び座板部の後ろ側に背もたれ部を装着したシャンプー用椅子と、シャンプー用椅子に近接した位置に頭髪洗浄組を具備したものにおいて、上記の座板部(11)と背もたれ部(12)は軸棒(30)によって折り畳みが可能になるよう装着するが、ガスエブソーバー(20)のような緩衝手段によって緩やかな速度で動くようにするものと、上記の座板部(11)と足乗せ台(13)はヒンジ(23)によって折り畳みが可能になるように装着するが、座板部(11)と足乗せ台(13)をリンク(22a)(22b)して連結する連動手段によって上記の背もたれ部(12)と連動するようにするものと、上記の座板部(11)の底面一側に装着し、座板部(11)を支える本体(15)と、上記のの本体(15)の一側上端にシャワー幾(17)を備えた頭髪洗浄組(16)を一体に具備する。
【０００５】
しかしながら、上記のような従来のシャンプ用の椅子は人によって座高の高さが違うことにより、シャンプー台の首ふり部(首を支える凹部)と座台との適切な間隔維持が難しく、椅子の座台がスライドする時、重量中心が身体の下部の方に傾く現象によって首周りが引かれる構造で、特に筋力が衰弱する高齢者には大きな負担になっている問題点があった。
【発明の概要】
【発明が解決しようとする課題】
【０００６】
したがって、本発明は上記の従来技術による諸般の問題点を解決するため、改良発明されたもので、本発明の目的は人体の構造上、人は腰を基準に上・下に分けた時、上部すなわち、腰の上の部分が人体の下部の足部位より重さが重いのに着眼し、シャンプー椅子の背もたれ部に重みが加わると、その重さの力がローダーを通じて回転レバーを押し、その回転レバーに附着した椅子の座支持台が上昇する構造になっていて、人の上半身が水平に近いほど大きな力が生成されるようにし、シャンプするお客様がより楽な状態でシャンプーサービスを受けることができるようにする座敷型シャンプー椅子を提供するのにある。
【０００７】
そして、本発明の目的は足乗せ台を利用して背もたれ支持台がそり返る時、同時に椅子の座支持台が連動して持ち上げられるようにし、シャンプするお客様がより楽な状態でシャンプーサービスを受けることができるようにする座敷型シャンプー椅子を提供するのにある。
【課題を解決するための手段】
【０００８】
上記の目的を果たすための本発明による座敷型シャンプー椅子は、
第1脚フレーム(102)と；上記の第1脚フレーム(102)から一定の間隔を置いて位置された第2脚フレーム(104)と；上記の第1脚フレーム(102)の後方一側と上記の第2脚フレーム(104)の後方一側の間に設置される固定台(106)と；上記の固定台(106)の一側に設置された第3ローダー(180)と；上記の第3ローダー(180)の一側に設置され、上記の第3ローダー(180)の動きによって椅子の座支持台(150)を動かす第2ローダー(178)と；上記の第3ローダー(180)の一側に設置され、上記の第3ローダー(180)の動きによって背もたれ板(162)を動かす第1ローダー(168)を含む。
【発明の効果】
【０００９】
以上で上述したように本発明による座敷型シャンプー椅子は腰の上の部分が人体の下部の足部位より重さが重いのに着眼し、シャンプー椅子の背もたれ部位に重さが加わると、その重さの力がローダーを通じて回転レバーを押し、その回転レバーに附着された椅子の座支持台が上昇する構造になっていて、人の上半身が水平に近いほど大きな力が生成されるようにし、シャンプするお客様がより楽な状態でシャンプーサービスを受けることができるようにすることで、シャンプするお客様がより楽な状態でシャンプーサービスを受けることができる効果がある。
【００１０】
そして、本発明は腰の上の部分が人体の下部の足の部位より重さが重いのに着眼し、シャンプー椅子の背もたれ部位に重さが加わると足乗せ台を操作することで、垂直ローダーを通じて椅子の座支持台を押し、その椅子の座支持台が上昇する構造になっていて、人の上半身が水平に近いほど大きな力が生成されるようにし、シャンプするお客様がより楽な状態でシャンプーサービスを受けることができるようにする効果がある。
【図面の簡単な説明】
【００１１】
【図１】本発明による座敷型シャンプー椅子の第1実施例を表した図面
【図２】図1の要部を分解した図面
【図３】図1のフレームの平面要部を概略的に表した図面
【図４】図1の分解図
【図５】図1の座敷型シャンプー椅子の使用状態を表した図面
【図６】図1の座敷型シャンプー椅子の使用状態を表した図面
【図７】図1の座敷型シャンプー椅子の使用状態を表した図面
【図８】本発明による座敷型シャンプー椅子の第2実施例の要部を分解した図面
【図９】図8の分解図
【図１０】図8の座敷型シャンプー椅子の使用状態を表した図面
【発明を実施するための形態】
【００１２】
以下、本発明による座敷型シャンプー椅子の望ましい実施例を説明すると次のようである。
【実施例１】
【００１３】
図1は本発明による座敷型シャンプー椅子の第1実施例を表した図面で、図2は図1の要部を分解した図面であり、図3は図1のフレームの平面要部を概略的に表した図面で、図4は図1の分解図である。
【００１４】
図1から図4に図示されたように第1実施例の座敷型シャンプー椅子(100)は、
"∩"字形状の第1脚フレーム(102)と；上記の"∩"字形状の第1脚フレーム(102)から一定の間隔を置いて位置された"∩"字形状の第2脚フレーム(104)と；上記の"∩"字形状の第1脚フレーム(102)の後方一側と上記の"∩"字形状の第2脚フレーム(104)の後方一側の間に設置される固定台(106)と；上記の"∩"字形状の第1脚フレーム(102)の前方一側に設置される第1突起片(108)と；上記の"∩"字形状の第2脚フレーム(104)の前方一側に設置される第2突起片(110)と；上記の"∩"字形状の第1脚フレーム(102)の上面一側に設置される第1水平板(112)と；上記の"∩"字形状の第2脚フレーム(104)の上面一側に設置される第2水平板(113)と；上記の第1水平板(112)の端部に垂直に延長、設置され、上記の第1突起片(108)の端部に設置される第1側板(114)と；上記の第2水平板(113)の端部に垂直に延長、設置され、上記の第2突起片(110)の端部に設置される第2側板(116)と；上記の第1側板(114)の端部と第2側板(116)の端部に水平に延長、設置され、上記の第1突起片(108)の端部と上記の第2突起片(110)の端部に設置される支持板(118)と；上記の支持板(118)の上面一側に設置された第1垂直板(120)と；上記の第1垂直板(120)から一定の間隔を置いて上記の支持板(118)の上面一側に設置された第2垂直板(122)と；上記の第1垂直板(120)の上部一側に一定の間隔を置いて形成された第1及び第2貫通孔(124)(126)と；上記の第1垂直板(120)の第1貫通孔(124)に対応されるよう、上記の第2垂直板(122)の上部一側に形成された第3貫通孔(128)と；上記の第1垂直板(120)の第2貫通孔(126)に対応するよう、上記の第2垂直板(122)の上部一側に形成された第4貫通孔(130)と；上記の第1貫通孔(124)、第3貫通孔(128)に挿入、固定される第1シャフト(132)と；上記の第2貫通孔(126)、第4貫通孔(130)に挿入、固定される第2シャフト(134)と；上記の第2シャフト(134)の一側端部に回転可能に設置された第1回転レバー(136)と；上記の第1シャフト(132)の一側端部に回転可能に設置されるが、本体の中央に第5貫通孔(137)を持つ第2回転レバー(138)と；上記の第2シャフト(134)の他側端部に回転可能に設置された第3回転レバー(140)と；上記の第1シャフト(132)の他側端部に回転可能に設置されるが、本体の中央に上記の第2回転レバー(138)の第5貫通孔(137)に対応するよう、第6貫通孔(141)を持つ第4回転レバー(142)と；上記の第5貫通(137)、第6貫通孔(141)に挿入、固定される第3シャフト(144)と；上記の第1側板(114)と第1垂直板(120)の間に位置され、上記の第1回転レバー(136)と第2回転レバー(138)に設置され、第1及び第2回転レバー(136)(138)の動作によって動くが、本体の端に第7貫通孔(145)を持つ第1ガイド(146)と；上記の第2側板(116)と第2垂直板(122)の間に位置されて上記の第3回転レバー(140)と第4回転レバー(142)に設置され、第3及び第4回転レバー(140)(142)の動作によって動くが、本体の端に第8貫通孔(147)を持つ第2ガイド(148)と；上記の第1ガイド(146)の上面と第2ガイド(148)の上面一定の間隔を置いて設置される椅子の座支持台(150)と；上記の第7貫通(145)、第8貫通孔(147)に挿入、固定される第4シャフト(152)と；上記の第4シャフト(152)の一側端部と他側端部に回転可能に設置されるが、本体の端に第9及、び第10貫通孔(154)(156)を持つ"L"字型背もたれ支持台(158)と；上記の第9貫通孔(154)、第10貫通孔(156)に挿入、固定される第5シャフト(160)と；上記の第5シャフト(160)に回転可能に設置される背もたれ板(162)と；上記の第5シ���フト(160)に回転可能に一定の長さの垂直に設置され、上記の背もたれ板(162)を動かすが、本体の端に第11及び第12貫通孔(164)(166)を持つ第1ローダー(168)と；上記の第11貫通孔(164)、第12貫通孔(166)に挿入、固定される第6シャフト(169)と；上記の固定台(106)の中央に突き出されて設置されるが、本体の端に第13及び第14貫通孔(170)(172)を持つ結合部(174)と；上記の第13貫通孔(170)、第14貫通孔(172)に挿入、固定される第7シャフト(176)と；上記の第3シャフト(144)と第6シャフト(169)に設置され、第2回転レバー(138)と第4回転レバー(142)を動かす第2ローダー(178)と；上記の第6シャフト(169)と第7シャフト(176)に回転可能に設置され、上記の第1ローダー(168)及び第2ローダー(178)を動かす第3ローダー(180)と；上記の第1水平板(112)の上面に設置された第1ひじ掛け部(182)と；上記の第2水平板(113)の上面に設置された第2ひじ掛け部(184)と；上記の椅子の座支持台(150)の上面に設置されたクッション用の座台(186)と；上記の背もたれ板(162)の上面に設置されたクッション用の背もたれ部(188)を含む。
【００１５】
上記ののように第1実施例の座敷型シャンプー椅子(100)の組み立て過程及び動作、図5から図7を参照し、説明すると次のようである。
【００１６】
"∩"字形状の第1脚フレーム(102)を位置させた後、上記の"∩"字形状の第1脚フレーム(102)から一定の間隔を置いて"∩"字形状の第2脚フレーム(104)を位置させる。それから、上記の"∩"字形状の第1脚フレーム(102)の後方一側と上記の"∩"字形状の第2脚フレーム(104)の後方一側の間に固定台(106)を設置する。
【００１７】
そして、上記の"∩"字形状の第1脚フレーム(102)の前方一側に第1突起片(108)を設置した後、上記の"∩"字形状の第2脚フレーム(104)の前方一側に第2突起片(110)を設置する。それから上記の"∩"字形状の第1脚フレーム(102)の上面一側に第1水平板(112)を設置した後、上記の"∩"字形状の第2脚フレーム(104)の上面一側に第2水平板(113)を設置する。
【００１８】
そして、上記の第1水平板(112)の端部に垂直に第1側板(114)を延長、設置した後、上記の第1側板(114)を第1突起片(108)の端部に設置する。そして、上記の第2水平板(113)の端部に垂直に第2側板(116)を延長、設置した後、[0099]上記の第2側板(116)を第2突起片(110)の端部に設置する。
【００１９】
そして、上記の第1側板(114)の端部と第2側板(116)の端部に水平に支持板(118)を延長、設置した後、上記の支持板(118)を上記の第1突起片(108)の端部と上記の第2突起片(110)の端部に設置する。そして、上記の支持板(118)の上面一側に第1垂直板(120)を設置した後、上記の第1垂直板(120)から一定の間隔を置いて上記の支持板(118)の上面一側に第2垂直板(122)を設置する。この時、上記の第1垂直板(120)の上部一側に一定の間隔を置いて第1及び第2貫通孔(124)(126)を形成すると同時に、上記の第1垂直板(120)の第1貫通孔(124)に対応するよう、上記の第2垂直板(122)の上部一側に第3貫通孔(128)を形成し、上記の第1垂直板(120)の第2貫通孔(126)に対応されるよう、上記の第2垂直板(122)の上部一側に第4貫通孔(130)を形成する。
【００２０】
そして、上記の第1貫通孔(124)、第3貫通孔(128)に第1シャフト(132)を挿入して固定した後、上記の第2貫通孔(126)、第4貫通孔(130)に第2シャフト(134)を挿入して固定する。そして、上記の第2シャフト(134)の一側端部に回転可能に第1回転レバー(136)を設置し、上記の第1シャフト(132)の一側端部に回転可能に第2回転レバー(138)を設置する。ここで、上記の第2回転レバー(138)は第5貫通孔(137)を持つ。
【００２１】
そして、上記の第2シャフト(134)の他側端部に回転可能に第3回転レバー(140)を設置し、上記の第1シャフト(132)の他側端部に回転可能に第4回転レバー(142)を設置する。ここで、上記の第4回転レバー(142)は第5貫通孔(137)に対応するよう第6貫通孔(141)を持つ。
【００２２】
そして、上記の第5貫通(137)、第6貫通孔(141)に第3シャフト(144)を挿入して固定する。そして、上記の第1側板(114)と第1垂直板(120)の間に第1ガイド(146)を位置した後、上記の第1ガイド(146)の側面に第1回転レバー(136)と第2回転レバー(138)を設置する。ここで、上記の第1ガイド(146)は端に第7貫通孔(145)を持つ。そして、上記の第2側板(116)と第2垂直板(122)の間に第2ガイド(148)を位置した後、上記の第2ガイド(148)の側面に第3回転レバー(140)と第4回転レバー(142)を設置する。ここで、上記の第2ガイド(148)は端に第8貫通孔(147)を持つ。
【００２３】
そして、上記の第1ガイド(146)の上面と第2ガイド(148)の上面に一定の間隔を置いて椅子の座支持台(150)を設置する。そして、上記の第1ガイド(146)の第7貫通(145)、第2ガイド(148)の第8貫通孔(147)に第4シャフト(152)を挿入して固定した後、上記の第4シャフト(152)の一側端部と他側端部に回転可能に"L"字型背もたれ支持台(158)を設置する。ここで、上記の"L"字型背もたれ支持台(158)の端に第9及び第10貫通孔(154)(156)を持つ。
【００２４】
そして、上記の"L"字型背もたれ支持台(158)の第9貫通孔(154)、"L"字型背もたれ支持台(158)の第10貫通孔(156)に第5シャフト(160)を挿入して固定する。そして、上記の第5シャフト(160)に背もたれ板(162)を回転可能に設置した後、上記の第5シャフト(160)に第1ローダー(168)を回転可能に設置する。ここで、上記の第1ローダー(168)は端に第11及び第12貫通孔(164)(166)を持つ。
【００２５】
そして、上記の第1ローダー(168)の第11貫通孔(164)、第1ローダー(168)の第12貫通孔(166)に第6シャフト(169)を挿入して固定する。そして、上記の固定台(106)の中央に結合部(174)を設置する。ここで、上記の結合部(174)は端に第13及び第14貫通孔(170)(172)を持つ。
【００２６】
そして、上記の結合部(174)の第13貫通孔(170)、結合部(174)の第14貫通孔(172)に第7シャフト(176)を挿入して固定する。そして、上記の第3シャフト(144)と第6シャフト(169)に第2ローダー(178)を設置する。そして、上記の第6シャフト(169)と第7シャフト(176)に上記の第1ローダー(168)及び第2ローダー(178)を動かす第3ローダー(180)を設置する。
【００２７】
そして、上記の第1水平板(112)の上面に第1ひじ掛け部(182)を設置して、上記の第2水平板(113)の上面に第2ひじ掛け部(184)を設置し、上記の椅子の座支持台(150)の上面にクッション用の座台(186)を設置して上記の背もたれ板(162)の上面にクッション用の背もたれ部(188)を設置する。
上記のように本発明による座敷型シャンプー椅子の組み立てが完了した後、シャンプーするため使用者がクッション用座台(186)に着席して洗面台に頭を位置した場合、使用者はクッション用背もたれ部(188)を後に押す。
【００２８】
上記のクッション用背もたれ部(188)の動作によって第5シャフト(160)に回転可能に設置された背もたれ板(162)が回転する。上記の背もたれ板(162)の回転によって第4シャフト(152)に繋がれた"L"字型背もたれ支持台(158)がやや上に持ち上げられると同時に第5シャフト(160)に回転可能に設置された第1ローダー(168)が回転しながら下側に動く。
【００２９】
上記の第1ローダー(168)の動作により、第6シャフト(169)に繋がれた第3ローダー(180)が下側に動く。上記の第3ローダー(180)の動きによって上記の第3ローダー(180)は第6シャフト(169)に繋がれた第2ローダー(178)を座敷型シャンプー椅子(100)の前方に押す。上記の第2ローダー(178)の動きによって第1回転レバー(136)と第2回転レバー(138)と第3回転レバー(140)と第4回転レバー(142)は時計回りに動く。
【００３０】
上記の第1回転レバー(136)と第2回転レバー(138)と第3回転レバー(140)と第4回転レバー(142)の動きによって、第1ガイド(146)と第2ガイド(148)が上側に動く。上記の第1ガイド(146)と第2ガイド(148)の動きよって椅子の座支持台(150)に設置されたクッション用の座台(186)の前の部分がやや上に持ち上げられる。
【００３１】
反対に、シャンプーが完了した後、使用者がクッション用の座台(186)を元の位置に戻す場合、使用者はクッション用の座台(186)を後に押す。上記のクッション用座台(186)の動作により、第4シャフト(152)に繋がれた"L"字型背もたれ支持台(158)が下に下る(元の位置)と同時に、第5シャフト(160)に回転可能に設置された第1ローダー(168)が回転しながら上側に動く。この時、上記の第5シャフト(160)に回転可能に設置された背もたれ板(162)が元の位置に戻る。
【００３２】
上記の第1ローダー(168)の動作によって第6シャフト(169)に繋がれた第3ローダー(180)が上側に動く。上記の第3ローダー(180)の動きによって上記の第3ローダー(180)は第6シャフト(169)に繋がれた第2ローダー(178)を座敷型シャンプー椅子(100)の後方に引っぱる。上記の第2ローダー(178)の動きによって第1回転レバー(136)と第2回転レバー(138)と第3回転レバー(140)と第4回転レバー(142)は反時計回りに動く。
【００３３】
上記の第1回転レバー(136)と第2回転レバー(138)と第3回転レバー(140)と第4回転レバー(142)の動きによって第1ガイド(146)と第2ガイド(148)が下側に動く。上記の第1ガイド(146)と第2ガイド(148)の動きによって椅子の座支持台(150)に設置されたクッション用の座台が下の元の位置に戻る。
【実施例２】
【００３４】
図8は本発明による座敷型シャンプー椅子の第2実施例の要部を分解した図面で、図9は図8の分解図である。
【００３５】
図8から図9に図示されたように第2実施例の座敷型シャンプー椅子(500)は、足乗せ台の操作に椅子の座支持台及び背もたれ支持台が動くようにする椅子フレーム(502)と；上記の椅子フレーム(502)の椅子の座支持台に設置され、クッションを提供するクッション用の座台(504)と；上記の椅子フレーム(502)の背もたれ支持台に設置され、クッションを提供するクッション用の背もたれ部(506)を含む。
【００３６】
ここで、上記の椅子フレーム(502)は、第1脚(508)と；上記の第1脚(508)から一定の間隔を置いて位置された第2脚(510)と；上記の第1脚(508)と第2脚(510)の間に設置された前方連結台(512)と；上記の第1脚(508)から一定の間隔を置いて位置された第3脚(514)と；上記の第3脚(508)から一定の間隔を置いて位置された第4脚(516)と；上記の第3脚(514)と第4脚(516)の間に設置された後方連結台(518)と；上記の前方連結台(512)と後方連結台(518)の間に設置された第1支持台(520)と；上記の第1支持台(520)から一定の間隔を置いて上記の前方連結台(512)と後方連結台(518)の間に設置された第2支持台(522)と；上記の第3脚(514)と第4脚(516)の間に位置され上の方向、または下の方向にに動く足乗せ台(526)と；上記の足乗せ台(526)に設置され、足乗せ台(526)の動きによって上の方向、または下の方向に動く第1垂直ローダー(528)と；上記の第1及び第2支持台(520)(522)と足乗せ台(526)の間に斜めに設置され、上記の足乗せ台(526)を元の位置に戻す第1傾斜ローダー(530)と；上記の第1垂直ローダー(528)に斜めに設置され、第1垂直ローダー(528)の動きによって上の方向、または下の方向に動く第2傾斜ローダー(532)と；上記の第1支持台(520)と第2支持台(522)の間に位置されるが、第2傾斜ローダー(532)に設置され、上記の第2傾斜ローダー(532)の動きによって前進、または後進する水平ローダー(534)と；上記の第1支持台(520)の前方と第2支持台(522)の前方の間に上下にスライディング可能に設置されると同時に、上記の水平ローダー(534)に設置され、水平ローダー(534)の動きによって上の方向、または下の方向に動くスライディング手段(536)と；上記のスライディング手段(536)に設置され、スライディング手段(536)の動きによって上の方向、または下の方向に動く椅子の座支持台(538)と、上記の椅子の座支持台(538)に回動可能に設置された背もたれ支持台(540)と；上記の第2傾斜ローダー(532)に垂直に設置され、上記の第2傾斜ローダー(532)の動きによって上の方向、または下の方向に動く第2垂直ローダー(542)と；上記の第2垂直ローダー(542)と背もたれ支持台(540)の間に回動可能に設置され、上記の第2垂直ローダー(542)の動きによって背もたれ支持台(540)を回動させる回転ローラー(544)を含む。
【００３７】
上記のように第2実施例の座敷型シャンプー椅子(500)の組み立て過程及び動作を図10を参照にし、説明すると次のようである。
【００３８】
第1脚(508)を位置させた後、上記の第1脚(508)から一定の間隔を置いて第2脚(510)を位置させる。そして、上記の第1脚(508)と第2脚(510)の間に前方連結台(512)を設置する。そして、上記の第1脚(508)から一定の間隔を置いて第3脚(514)を位置させた後、上記の第3脚(508)から一定の間隔を置いて第4脚(516)を位置させる。そして、上記の第3脚(514)と第4脚(516)の間に後方連結台(518)を設置する。
【００３９】
そして、上記の前方連結台(512)と後方連結台(518)の間に第1支持台(520)と設置した後、上記の第1支持台(520)から一定の間隔を置いて上記の前方連結台(512)と後方連結台(518)の間に第2支持台(522)を設置する。そして、上記の第3脚(514)と第4脚(516)の間に上の方向、または下の方向に動く足乗せ台(526)を位置させた後、上記の足乗せ台(526)に足乗せ台(526)の動きによって上の方向、または下の方向に動く第1垂直ローダー(528)を設置する。
【００４０】
そして、上記の第1及び第2支持台(520)(522)と足乗せ台(526)の間に斜めに上記の足乗せ台(526)を元の位置に戻す第1傾斜ローダー(530)を設置する。そして、上記の第1垂直ローダー(528)に斜めに上記の第1垂直ローダー(528)の動きによって上の方向、または下の方向に動く第2傾斜ローダー(532)を設置する。
【００４１】
そして、上記の第1支持台(520)と第2支持台(522)の間に水平ローダー(534)を位置した後、上記の第2傾斜ローダー(532)に第2傾斜ローダー(532)の動きによって前進、または後進する水平ローダー(534)を設置する。そして、上記の第1支持台(520)の前方と第2支持台(522)の前方の間に上下にスライディング可能にスライディング手段(536)を設置した後、上記のスライディング手段(536)を水平ローダー(534)を設置する。
【００４２】
そして、上記のスライディング手段(536)にスライディング手段(536)の動きによって上の方向、または下の方向に動く椅子の座支持台(538)を設置した後、上記の椅子の座支持台(538)に回動可能に背もたれ支持台(540)を設置する。そして、上記の第2傾斜ローダー(532)に垂直するように、第2傾斜ローダー(532)の動きによって上の方向、または下の方向に動く第2垂直ローダー(542)を設置すると同時に、上記の第2垂直ローダー(542)に第2垂直ローダー(542)の動きによって背もたれ支持台(540)を回動する回転ローラー(544)を設置する。
【００４３】
上記のように足乗せ台の操作により、椅子の座支持台及び背もたれ支持台が動くようにする椅子フレーム(502)の組み立てが完了したら、上記の椅子フレーム(502)の椅子の座支持台にクッションを提供するクッション用の座台(504)を設置すると同時に、上記の椅子フレーム(502)の背もたれ支持台にクッションを提供するクッション用の背もたれ部(506)を設置する。
【００４４】
上記のように第2実施例の座敷型シャンプー椅子の組み立てが完了したら、シャンプーするための顧客がクッション用の座台(504)に着席し、洗面台に頭を位置する場合、作業者はクッション用の背もたれ部(188)を押した後、足乗せ台(526)を下の方向に押す。
【００４５】
上記の足乗せ台(526)が下の方向へ動くにつれ、上記の足乗せ台(526)に設置された第1垂直ローダー(528)が下の方向に動く。そして、上記の第1垂直ローダー(538)が下の方向に動く時、第1垂直ローダー(528)に設置された第2傾斜ローダー(532)が下の方向に動くと同時に、上記の第2傾斜ローダー(532)は水平ローダー(534)を前方に前進させる。これにより、上記の水平ローダー(534)は進む。
【００４６】
上記の水平ローダー(534)の前進によって上記の水平ローダー(534)に繋がれたスライディング手段(536)が上の方向に動く。そして、上記のスライディング手段(536)に設置された椅子の座支持台(536)が上の方向に動いて、上記の椅子の座支持台(536)に回動可能に設置された背もたれ支持台(540)が時計回りに回動し、上記の背もたれ支持台(540)は回転ローラー(544)によって、もう一回、時計回りに回転をする。
【００４７】
したがって、上記の椅子の座支持台(536)にクッション用の座台(504)が設置され、背もたれ支持台(540)にクッション用の背もたれ部(506)が設置され、上記のクッション用の背もたれ部(506)に位置した顧客が時計回りに回動すると同時に、顧客の頭が洗面台に位置される。
【符号の説明】
【００４８】
100：座敷型シャンプー椅子02："∩"字形状の第1脚フレーム
104："∩"字形状の第2脚フレーム106：固定台108：第1突起片
110：第2突起片112：第1水平板113：第2水平板114：第1側板
116：第2側板118：支持板120：第1垂直板122：第2垂直板
132：第1シャフト134：第2シャフト136：第1回転レバー138：第2回転レバー
【手続補正２】
【補正対象書類名】特許請求の範囲
【補正対象項目名】全文
【補正方法】変更
【補正の内容】
【特許請求の範囲】
【請求項１】
第1脚フレーム(102)と；上記の第1脚フレーム(102)から一定の間隔を置いて位置された第2脚フレーム(104)と；上記の第1脚フレーム(102)の後方一側と上記の第2脚フレーム(104)の後方一側の間に設置される固定台(106)と；上記の固定台(106)の一側に設置された第3ローダー(180)と；上記の第3ローダー(180)の一側に設置され、上記の第3ローダー(180)の動きによって椅子の座支持台(150)を動かす第2ローダー(178)と；上記の第3ローダー(180)の一側に設置され、上記の第3ローダー(180)の動きによって背もたれ板(162)を動かす第1ローダー(168)を含んだのを特徴とする座敷型シャンプー椅子。
【請求項２】
第1脚フレーム(102)と；上記の第1脚フレーム(102)から一定の間隔を置いて位置された第2脚フレーム(104)と；上記の第1脚フレーム(102)の後方一側と上記の第2脚フレーム(104)の後方一側の間に設置される固定台(106)と；上記の固定台(106)の一側に設置された第3ローダー(180)と；上記の第3ローダー(180)の一側に設置され、上記の第3ローダー(180)の動きによって椅子の座支持台(150)を動かす第2ローダー(178)と；上記の第3ローダー(180)の一側に設置され、上記の第3ローダー(180)の動きによって"L"字型背もたれ支持台(158)を動かす第1ローダー(168)と；上記の"L"字型背もたれ支持台(158)に設置され、上記の"L"字型背もたれ支持台(158)の動きによって動く背もたれ板(162)を含んだのを特徴とする座敷型シャンプー椅子。
【請求項３】
足乗せ台の操作に椅子の座支持台及び背もたれ支持台が動くようにする椅子フレーム(502)と；上記の椅子フレーム(502)の椅子の座支持台に設置され、クッションを提供するクッション用の座台(504)と；上記の椅子フレーム(502)の背もたれ支持台に設置され、クッションを提供するクッション用の背もたれ部(506)を含み、
上記の椅子フレーム(502)は、上の方向または下の方向に動く足乗せ台(526)と；上記の足乗せ台(526)に設置され、足乗せ台(526)の動きによって上の方向、または下の方向に動く第1垂直ローダー(528)と；上記の第1垂直ローダー(528)に斜めに設置され、第1垂直ローダー(528)の動きによって上の方向、または下の方向に動く第2傾斜ローダー(532)と；上記の第2傾斜ローダー(532)に設置され、第2傾斜ローダー(532)の動きによって前進または後進する水平ローダー(534)と；上記の水平ローダー(534)に設置され、水平ローダー(534)の動きによって上の方向、または下の方向に動くスライディング手段(536)と；上記のスライディング手段(536)に設置され、スライディング手段(536)の動きによって上の方向、または下の方向に動く椅子の座支持台(538)を含んだのを特徴とする座敷型シャンプー椅子。
【請求項４】
足乗せ台の操作に椅子の座支持台及び背もたれ支持台が動くようにする椅子フレーム(502)と；上記の椅子フレーム(502)の椅子の座支持台に設置され、クッションを提供するクッション用の座台(504)と；上記の椅子フレーム(502)の背もたれ支持台に設置され、クッションを提供するクッション用の背もたれ(506)を含み、
上記の椅子フレーム(502)は上の方向、または下の方向に動く足乗せ台(526)と；上記の足乗せ台(526)に設置され、足乗せ台(526)の動きによって上の方向、または下の方向に動く第1垂直ローダー(528)と；上記の第1垂直ローダー(528)に斜めに設置され、第1垂直ローダー(528)の動きによって上の方向、または下の方向に動く第2傾斜ローダー(532)と；上記の第2傾斜ローダー(532)に設置され、第2傾斜ローダー(532)の動きにより前進、または後進する水平ローダー(534)と；上記の水平ローダー(534)に設置され、水平ローダー(534)の動きによって上の方向、または下の方向に動くスライディング手段(536)と；上記のスライディング手段(536)に設置され、スライディング手段(536)の動きによって上の方向、または下の方向に動く椅子の座支持台(538)と；上記の椅子の座支持台(538)に回動可能に設置された背もたれ支持台(540)と；上記の第2傾斜ローダー(532)に垂直に設置され、上記の第2傾斜ローダー(532)の動きによって上の方向、または下の方向に動く第2垂直ローダー(542)と；上記の第2垂直ローダー(542)と背もたれ支持台(540)の間に回動可能に設置され、上記の第2垂直ローダー(542)の動きによって背もたれ支持台(540)を回動する回転ローラー(544)を含んだのを特徴とする座敷型シャンプー椅子。
【手続補正４】
【補正対象書類名】図面
【補正対象項目名】全図
【補正方法】変更
【補正の内容】
【図１】
2015527121.tif 000017
【図２】
2015527121.tif 000018
【図３】
2015527121.tif 000019
【図４】
2015527121.tif 000020
【図５】
2015527121.tif 000021
【図６】
2015527121.tif 000022
【図７】
2015527121.tif 000023
【図８】
2015527121.tif 000024
【図９】
2015527121.tif 000025
【図１０】
2015527121.tif 000026
【手続補正書】
【提出日】平成27年7月3日(2015.7.3)
【手続補正１】
【補正対象書類名】明細書
【補正対象項目名】全文
【補正方法】変更
【補正の内容】
【発明の詳細な説明】
【技術分野】
【０００１】
本発明はシャンプー椅子に関するもので、より詳しくは背もたれ部がそり返る時、同時に足乗せ台が連動して持ち上げられるようにし、シャンプするお客様がより楽な状態でシャンプーサービスを受けることができるようにする座敷型シャンプー椅子に関するものである。
【０００２】
そして、本発明は足乗せ台を利用し、背もたれ支持台がそり返る時、同時に椅子の座支持台が連動して持ち上げられるようにし、シャンプするお客様がより楽な状態でシャンプーサービスを受けることができるようにする座敷型シャンプー椅子に関するものである。
【背景技術】
【０００３】
主に、一般的に、床屋や、美容院で使われているシャンプー椅子は電動式シャンプー椅子と座敷型シャンプ椅子に分けられ、上記の電動式シャンプー椅子はモーターを利用し、椅子の高さを調節するもので、椅子背もたれ部もモーター駆動によって水平を成す構造で、歯科用の椅子に似ている構造を持つ。そして、上記のの座敷型シャンプー椅子は椅子と、その後でシャンプーができるようシャンプー台を備え、使用者が頭を後に反らし、顔は仰向けにするようにしてシャンプー用に使われている。
【０００４】
上記の座敷型シャンプー椅子は大韓民国特許庁にたくさん出願されている実情にあり、2003年 09月 30日付け、出願番号第20-2003-0030829号(発明の名称：シャンプー用椅子)は、身体を支える座板部、座板部の左右側に設置されるひじ掛け及び座板部の後ろ側に背もたれ部を装着したシャンプー用椅子と、シャンプー用椅子に近接した位置に頭髪洗浄組を具備したものにおいて、上記の座板部(11)と背もたれ部(12)は軸棒(30)によって折り畳みが可能になるよう装着するが、ガスエブソーバー(20)のような緩衝手段によって緩やかな速度で動くようにするものと、上記の座板部(11)と足乗せ台(13)はヒンジ(23)によって折り畳みが可能になるように装着するが、座板部(11)と足乗せ台(13)をリンク(22a)(22b)して連結する連動手段によって上記の背もたれ部(12)と連動するようにするものと、上記の座板部(11)の底面一側に装着し、座板部(11)を支える本体(15)と、上記のの本体(15)の一側上端にシャワー幾(17)を備えた頭髪洗浄組(16)を一体に具備する。
【０００５】
しかしながら、上記のような従来のシャンプ用の椅子は人によって座高の高さが違うことにより、シャンプー台の首ふり部(首を支える凹部)と座台との適切な間隔維持が難しく、椅子の座台がスライドする時、重量中心が身体の下部の方に傾く現象によって首周りが引かれる構造で、特に筋力が衰弱する高齢者には大きな負担になっている問題点があった。
【発明の概要】
【発明が解決しようとする課題】
【０００６】
したがって、本発明は上記の従来技術による諸般の問題点を解決するため、改良発明されたもので、本発明の目的は人体の構造上、人は腰を基準に上・下に分けた時、上部すなわち、腰の上の部分が人体の下部の足部位より重さが重いのに着眼し、シャンプー椅子の背もたれ部に重みが加わると、その重さの力がローダーを通じて回転レバーを押し、その回転レバーに附着した椅子の座支持台が上昇する構造になっていて、人の上半身が水平に近いほど大きな力が生成されるようにし、シャンプするお客様がより楽な状態でシャンプーサービスを受けることができるようにする座敷型シャンプー椅子を提供するのにある。
【０００７】
そして、本発明の目的は足乗せ台を利用して背もたれ支持台がそり返る時、同時に椅子の座支持台が連動して持ち上げられるようにし、シャンプするお客様がより楽な状態でシャンプーサービスを受けることができるようにする座敷型シャンプー椅子を提供するのにある。
【課題を解決するための手段】
【０００８】
上記の目的を果たすための本発明による座敷型シャンプー椅子は、
第1脚フレーム(102)と；上記の第1脚フレーム(102)から一定の間隔を置いて位置された第2脚フレーム(104)と；上記の第1脚フレーム(102)の後方一側と上記の第2脚フレーム(104)の後方一側の間に設置される固定台(106)と；上記の固定台(106)の一側に設置された第3ローダー(180)と；上記の第3ローダー(180)の一側に設置され、上記の第3ローダー(180)の動きによって椅子の座支持台(150)を動かす第2ローダー(178)と；上記の第3ローダー(180)の一側に設置され、上記の第3ローダー(180)の動きによって背もたれ板(162)を動かす第1ローダー(168)を含む。
【発明の効果】
【０００９】
以上で上述したように本発明による座敷型シャンプー椅子は腰の上の部分が人体の下部の足部位より重さが重いのに着眼し、シャンプー椅子の背もたれ部位に重さが加わると、その重さの力がローダーを通じて回転レバーを押し、その回転レバーに附着された椅子の座支持台が上昇する構造になっていて、人の上半身が水平に近いほど大きな力が生成されるようにし、シャンプするお客様がより楽な状態でシャンプーサービスを受けることができるようにすることで、シャンプするお客様がより楽な状態でシャンプーサービスを受けることができる効果がある。
【００１０】
そして、本発明は腰の上の部分が人体の下部の足の部位より重さが重いのに着眼し、シャンプー椅子の背もたれ部位に重さが加わると足乗せ台を操作することで、垂直ローダーを通じて椅子の座支持台を押し、その椅子の座支持台が上昇する構造になっていて、人の上半身が水平に近いほど大きな力が生成されるようにし、シャンプするお客様がより楽な状態でシャンプーサービスを受けることができるようにする効果がある。
【図面の簡単な説明】
【００１１】
【図１】本発明による座敷型シャンプー椅子の第1実施例を表した図面
【図２】図1の要部を分解した図面
【図３】図1のフレームの平面要部を概略的に表した図面
【図４】図1の分解図
【図５】図1の座敷型シャンプー椅子の使用状態を表した図面
【図６】図1の座敷型シャンプー椅子の使用状態を表した図面
【図７】図1の座敷型シャンプー椅子の使用状態を表した図面
【図８】本発明による座敷型シャンプー椅子の第2実施例の要部を分解した図面
【図９】図8の分解図
【図１０】図8の座敷型シャンプー椅子の使用状態を表した図面
【発明を実施するための形態】
【００１２】
以下、本発明による座敷型シャンプー椅子の望ましい実施例を説明すると次のようである。
【実施例１】
【００１３】
図1は本発明による座敷型シャンプー椅子の第1実施例を表した図面で、図2は図1の要部を分解した図面であり、図3は図1のフレームの平面要部を概略的に表した図面で、図4は図1の分解図である。
【００１４】
図1から図4に図示されたように第1実施例の座敷型シャンプー椅子(100)は、
"∩"字形状の第1脚フレーム(102)と；上記の"∩"字形状の第1脚フレーム(102)から一定の間隔を置いて位置された"∩"字形状の第2脚フレーム(104)と；上記の"∩"字形状の第1脚フレーム(102)の後方一側と上記の"∩"字形状の第2脚フレーム(104)の後方一側の間に設置される固定台(106)と；上記の"∩"字形状の第1脚フレーム(102)の前方一側に設置される第1突起片(108)と；上記の"∩"字形状の第2脚フレーム(104)の前方一側に設置される第2突起片(110)と；上記の"∩"字形状の第1脚フレーム(102)の上面一側に設置される第1水平板(112)と；上記の"∩"字形状の第2脚フレーム(104)の上面一側に設置される第2水平板(113)と；上記の第1水平板(112)の端部に垂直に延長、設置され、上記の第1突起片(108)の端部に設置される第1側板(114)と；上記の第2水平板(113)の端部に垂直に延長、設置され、上記の第2突起片(110)の端部に設置される第2側板(116)と；上記の第1側板(114)の端部と第2側板(116)の端部に水平に延長、設置され、上記の第1突起片(108)の端部と上記の第2突起片(110)の端部に設置される支持板(118)と；上記の支持板(118)の上面一側に設置された第1垂直板(120)と；上記の第1垂直板(120)から一定の間隔を置いて上記の支持板(118)の上面一側に設置された第2垂直板(122)と；上記の第1垂直板(120)の上部一側に一定の間隔を置いて形成された第1及び第2貫通孔(124)(126)と；上記の第1垂直板(120)の第1貫通孔(124)に対応されるよう、上記の第2垂直板(122)の上部一側に形成された第3貫通孔(128)と；上記の第1垂直板(120)の第2貫通孔(126)に対応するよう、上記の第2垂直板(122)の上部一側に形成された第4貫通孔(130)と；上記の第1貫通孔(124)、第3貫通孔(128)に挿入、固定される第1シャフト(132)と；上記の第2貫通孔(126)、第4貫通孔(130)に挿入、固定される第2シャフト(134)と；上記の第2シャフト(134)の一側端部に回転可能に設置された第1回転レバー(136)と；上記の第1シャフト(132)の一側端部に回転可能に設置されるが、本体の中央に第5貫通孔(137)を持つ第2回転レバー(138)と；上記の第2シャフト(134)の他側端部に回転可能に設置された第3回転レバー(140)と；上記の第1シャフト(132)の他側端部に回転可能に設置されるが、本体の中央に上記の第2回転レバー(138)の第5貫通孔(137)に対応するよう、第6貫通孔(141)を持つ第4回転レバー(142)と；上記の第5貫通(137)、第6貫通孔(141)に挿入、固定される第3シャフト(144)と；上記の第1側板(114)と第1垂直板(120)の間に位置され、上記の第1回転レバー(136)と第2回転レバー(138)に設置され、第1及び第2回転レバー(136)(138)の動作によって動くが、本体の端に第7貫通孔(145)を持つ第1ガイド(146)と；上記の第2側板(116)と第2垂直板(122)の間に位置されて上記の第3回転レバー(140)と第4回転レバー(142)に設置され、第3及び第4回転レバー(140)(142)の動作によって動くが、本体の端に第8貫通孔(147)を持つ第2ガイド(148)と；上記の第1ガイド(146)の上面と第2ガイド(148)の上面一定の間隔を置いて設置される椅子の座支持台(150)と；上記の第7貫通(145)、第8貫通孔(147)に挿入、固定される第4シャフト(152)と；上記の第4シャフト(152)の一側端部と他側端部に回転可能に設置されるが、本体の端に第9及、び第10貫通孔(154)(156)を持つ"L"字型背もたれ支持台(158)と；上記の第9貫通孔(154)、第10貫通孔(156)に挿入、固定される第5シャフト(160)と；上記の第5シャフト(160)に回転可能に設置される背もたれ板(162)と；上記の第5シ���フト(160)に回転可能に一定の長さの垂直に設置され、上記の背もたれ板(162)を動かすが、本体の端に第11及び第12貫通孔(164)(166)を持つ第1ローダー(168)と；上記の第11貫通孔(164)、第12貫通孔(166)に挿入、固定される第6シャフト(169)と；上記の固定台(106)の中央に突き出されて設置されるが、本体の端に第13及び第14貫通孔(170)(172)を持つ結合部(174)と；上記の第13貫通孔(170)、第14貫通孔(172)に挿入、固定される第7シャフト(176)と；上記の第3シャフト(144)と第6シャフト(169)に設置され、第2回転レバー(138)と第4回転レバー(142)を動かす第2ローダー(178)と；上記の第6シャフト(169)と第7シャフト(176)に回転可能に設置され、上記の第1ローダー(168)及び第2ローダー(178)を動かす第3ローダー(180)と；上記の第1水平板(112)の上面に設置された第1ひじ掛け部(182)と；上記の第2水平板(113)の上面に設置された第2ひじ掛け部(184)と；上記の椅子の座支持台(150)の上面に設置されたクッション用の座台(186)と；上記の背もたれ板(162)の上面に設置されたクッション用の背もたれ部(188)を含む。
【００１５】
上記ののように第1実施例の座敷型シャンプー椅子(100)の組み立て過程及び動作、図5から図7を参照し、説明すると次のようである。
【００１６】
"∩"字形状の第1脚フレーム(102)を位置させた後、上記の"∩"字形状の第1脚フレーム(102)から一定の間隔を置いて"∩"字形状の第2脚フレーム(104)を位置させる。それから、上記の"∩"字形状の第1脚フレーム(102)の後方一側と上記の"∩"字形状の第2脚フレーム(104)の後方一側の間に固定台(106)を設置する。
【００１７】
そして、上記の"∩"字形状の第1脚フレーム(102)の前方一側に第1突起片(108)を設置した後、上記の"∩"字形状の第2脚フレーム(104)の前方一側に第2突起片(110)を設置する。それから上記の"∩"字形状の第1脚フレーム(102)の上面一側に第1水平板(112)を設置した後、上記の"∩"字形状の第2脚フレーム(104)の上面一側に第2水平板(113)を設置する。
【００１８】
そして、上記の第1水平板(112)の端部に垂直に第1側板(114)を延長、設置した後、上記の第1側板(114)を第1突起片(108)の端部に設置する。そして、上記の第2水平板(113)の端部に垂直に第2側板(116)を延長、設置した後、[0099]上記の第2側板(116)を第2突起片(110)の端部に設置する。
【００１９】
そして、上記の第1側板(114)の端部と第2側板(116)の端部に水平に支持板(118)を延長、設置した後、上記の支持板(118)を上記の第1突起片(108)の端部と上記の第2突起片(110)の端部に設置する。そして、上記の支持板(118)の上面一側に第1垂直板(120)を設置した後、上記の第1垂直板(120)から一定の間隔を置いて上記の支持板(118)の上面一側に第2垂直板(122)を設置する。この時、上記の第1垂直板(120)の上部一側に一定の間隔を置いて第1及び第2貫通孔(124)(126)を形成すると同時に、上記の第1垂直板(120)の第1貫通孔(124)に対応するよう、上記の第2垂直板(122)の上部一側に第3貫通孔(128)を形成し、上記の第1垂直板(120)の第2貫通孔(126)に対応されるよう、上記の第2垂直板(122)の上部一側に第4貫通孔(130)を形成する。
【００２０】
そして、上記の第1貫通孔(124)、第3貫通孔(128)に第1シャフト(132)を挿入して固定した後、上記の第2貫通孔(126)、第4貫通孔(130)に第2シャフト(134)を挿入して固定する。そして、上記の第2シャフト(134)の一側端部に回転可能に第1回転レバー(136)を設置し、上記の第1シャフト(132)の一側端部に回転可能に第2回転レバー(138)を設置する。ここで、上記の第2回転レバー(138)は第5貫通孔(137)を持つ。
【００２１】
そして、上記の第2シャフト(134)の他側端部に回転可能に第3回転レバー(140)を設置し、上記の第1シャフト(132)の他側端部に回転可能に第4回転レバー(142)を設置する。ここで、上記の第4回転レバー(142)は第5貫通孔(137)に対応するよう第6貫通孔(141)を持つ。
【００２２】
そして、上記の第5貫通(137)、第6貫通孔(141)に第3シャフト(144)を挿入して固定する。そして、上記の第1側板(114)と第1垂直板(120)の間に第1ガイド(146)を位置した後、上記の第1ガイド(146)の側面に第1回転レバー(136)と第2回転レバー(138)を設置する。ここで、上記の第1ガイド(146)は端に第7貫通孔(145)を持つ。そして、上記の第2側板(116)と第2垂直板(122)の間に第2ガイド(148)を位置した後、上記の第2ガイド(148)の側面に第3回転レバー(140)と第4回転レバー(142)を設置する。ここで、上記の第2ガイド(148)は端に第8貫通孔(147)を持つ。
【００２３】
そして、上記の第1ガイド(146)の上面と第2ガイド(148)の上面に一定の間隔を置いて椅子の座支持台(150)を設置する。そして、上記の第1ガイド(146)の第7貫通(145)、第2ガイド(148)の第8貫通孔(147)に第4シャフト(152)を挿入して固定した後、上記の第4シャフト(152)の一側端部と他側端部に回転可能に"L"字型背もたれ支持台(158)を設置する。ここで、上記の"L"字型背もたれ支持台(158)の端に第9及び第10貫通孔(154)(156)を持つ。
【００２４】
そして、上記の"L"字型背もたれ支持台(158)の第9貫通孔(154)、"L"字型背もたれ支持台(158)の第10貫通孔(156)に第5シャフト(160)を挿入して固定する。そして、上記の第5シャフト(160)に背もたれ板(162)を回転可能に設置した後、上記の第5シャフト(160)に第1ローダー(168)を回転可能に設置する。ここで、上記の第1ローダー(168)は端に第11及び第12貫通孔(164)(166)を持つ。
【００２５】
そして、上記の第1ローダー(168)の第11貫通孔(164)、第1ローダー(168)の第12貫通孔(166)に第6シャフト(169)を挿入して固定する。そして、上記の固定台(106)の中央に結合部(174)を設置する。ここで、上記の結合部(174)は端に第13及び第14貫通孔(170)(172)を持つ。
【００２６】
そして、上記の結合部(174)の第13貫通孔(170)、結合部(174)の第14貫通孔(172)に第7シャフト(176)を挿入して固定する。そして、上記の第3シャフト(144)と第6シャフト(169)に第2ローダー(178)を設置する。そして、上記の第6シャフト(169)と第7シャフト(176)に上記の第1ローダー(168)及び第2ローダー(178)を動かす第3ローダー(180)を設置する。
【００２７】
そして、上記の第1水平板(112)の上面に第1ひじ掛け部(182)を設置して、上記の第2水平板(113)の上面に第2ひじ掛け部(184)を設置し、上記の椅子の座支持台(150)の上面にクッション用の座台(186)を設置して上記の背もたれ板(162)の上面にクッション用の背もたれ部(188)を設置する。
上記のように本発明による座敷型シャンプー椅子の組み立てが完了した後、シャンプーするため使用者がクッション用座台(186)に着席して洗面台に頭を位置した場合、使用者はクッション用背もたれ部(188)を後に押す。
【００２８】
上記のクッション用背もたれ部(188)の動作によって第5シャフト(160)に回転可能に設置された背もたれ板(162)が回転する。上記の背もたれ板(162)の回転によって第4シャフト(152)に繋がれた"L"字型背もたれ支持台(158)がやや上に持ち上げられると同時に第5シャフト(160)に回転可能に設置された第1ローダー(168)が回転しながら下側に動く。
【００２９】
上記の第1ローダー(168)の動作により、第6シャフト(169)に繋がれた第3ローダー(180)が下側に動く。上記の第3ローダー(180)の動きによって上記の第3ローダー(180)は第6シャフト(169)に繋がれた第2ローダー(178)を座敷型シャンプー椅子(100)の前方に押す。上記の第2ローダー(178)の動きによって第1回転レバー(136)と第2回転レバー(138)と第3回転レバー(140)と第4回転レバー(142)は時計回りに動く。
【００３０】
上記の第1回転レバー(136)と第2回転レバー(138)と第3回転レバー(140)と第4回転レバー(142)の動きによって、第1ガイド(146)と第2ガイド(148)が上側に動く。上記の第1ガイド(146)と第2ガイド(148)の動きよって椅子の座支持台(150)に設置されたクッション用の座台(186)の前の部分がやや上に持ち上げられる。
【００３１】
反対に、シャンプーが完了した後、使用者がクッション用の座台(186)を元の位置に戻す場合、使用者はクッション用の座台(186)を後に押す。上記のクッション用座台(186)の動作により、第4シャフト(152)に繋がれた"L"字型背もたれ支持台(158)が下に下る(元の位置)と同時に、第5シャフト(160)に回転可能に設置された第1ローダー(168)が回転しながら上側に動く。この時、上記の第5シャフト(160)に回転可能に設置された背もたれ板(162)が元の位置に戻る。
【００３２】
上記の第1ローダー(168)の動作によって第6シャフト(169)に繋がれた第3ローダー(180)が上側に動く。上記の第3ローダー(180)の動きによって上記の第3ローダー(180)は第6シャフト(169)に繋がれた第2ローダー(178)を座敷型シャンプー椅子(100)の後方に引っぱる。上記の第2ローダー(178)の動きによって第1回転レバー(136)と第2回転レバー(138)と第3回転レバー(140)と第4回転レバー(142)は反時計回りに動く。
【００３３】
上記の第1回転レバー(136)と第2回転レバー(138)と第3回転レバー(140)と第4回転レバー(142)の動きによって第1ガイド(146)と第2ガイド(148)が下側に動く。上記の第1ガイド(146)と第2ガイド(148)の動きによって椅子の座支持台(150)に設置されたクッション用の座台が下の元の位置に戻る。
【実施例２】
【００３４】
図8は本発明による座敷型シャンプー椅子の第2実施例の要部を分解した図面で、図9は図8の分解図である。
【００３５】
図8から図9に図示されたように第2実施例の座敷型シャンプー椅子(500)は、足乗せ台の操作に椅子の座支持台及び背もたれ支持台が動くようにする椅子フレーム(502)と；上記の椅子フレーム(502)の椅子の座支持台に設置され、クッションを提供するクッション用の座台(504)と；上記の椅子フレーム(502)の背もたれ支持台に設置され、クッションを提供するクッション用の背もたれ部(506)を含む。
【００３６】
ここで、上記の椅子フレーム(502)は、第1脚(508)と；上記の第1脚(508)から一定の間隔を置いて位置された第2脚(510)と；上記の第1脚(508)と第2脚(510)の間に設置された前方連結台(512)と；上記の第1脚(508)から一定の間隔を置いて位置された第3脚(514)と；上記の第3脚(508)から一定の間隔を置いて位置された第4脚(516)と；上記の第3脚(514)と第4脚(516)の間に設置された後方連結台(518)と；上記の前方連結台(512)と後方連結台(518)の間に設置された第1支持台(520)と；上記の第1支持台(520)から一定の間隔を置いて上記の前方連結台(512)と後方連結台(518)の間に設置された第2支持台(522)と；上記の第3脚(514)と第4脚(516)の間に位置され上の方向、または下の方向にに動く足乗せ台(526)と；上記の足乗せ台(526)に設置され、足乗せ台(526)の動きによって上の方向、または下の方向に動く第1垂直ローダー(528)と；上記の第1及び第2支持台(520)(522)と足乗せ台(526)の間に斜めに設置され、上記の足乗せ台(526)を元の位置に戻す第1傾斜ローダー(530)と；上記の第1垂直ローダー(528)に斜めに設置され、第1垂直ローダー(528)の動きによって上の方向、または下の方向に動く第2傾斜ローダー(532)と；上記の第1支持台(520)と第2支持台(522)の間に位置されるが、第2傾斜ローダー(532)に設置され、上記の第2傾斜ローダー(532)の動きによって前進、または後進する水平ローダー(534)と；上記の第1支持台(520)の前方と第2支持台(522)の前方の間に上下にスライディング可能に設置されると同時に、上記の水平ローダー(534)に設置され、水平ローダー(534)の動きによって上の方向、または下の方向に動くスライディング手段(536)と；上記のスライディング手段(536)に設置され、スライディング手段(536)の動きによって上の方向、または下の方向に動く椅子の座支持台(538)と、上記の椅子の座支持台(538)に回動可能に設置された背もたれ支持台(540)と；上記の第2傾斜ローダー(532)に垂直に設置され、上記の第2傾斜ローダー(532)の動きによって上の方向、または下の方向に動く第2垂直ローダー(542)と；上記の第2垂直ローダー(542)と背もたれ支持台(540)の間に回動可能に設置され、上記の第2垂直ローダー(542)の動きによって背もたれ支持台(540)を回動させる回転ローラー(544)を含む。
【００３７】
上記のように第2実施例の座敷型シャンプー椅子(500)の組み立て過程及び動作を図10を参照にし、説明すると次のようである。
【００３８】
第1脚(508)を位置させた後、上記の第1脚(508)から一定の間隔を置いて第2脚(510)を位置させる。そして、上記の第1脚(508)と第2脚(510)の間に前方連結台(512)を設置する。そして、上記の第1脚(508)から一定の間隔を置いて第3脚(514)を位置させた後、上記の第3脚(508)から一定の間隔を置いて第4脚(516)を位置させる。そして、上記の第3脚(514)と第4脚(516)の間に後方連結台(518)を設置する。
【００３９】
そして、上記の前方連結台(512)と後方連結台(518)の間に第1支持台(520)と設置した後、上記の第1支持台(520)から一定の間隔を置いて上記の前方連結台(512)と後方連結台(518)の間に第2支持台(522)を設置する。そして、上記の第3脚(514)と第4脚(516)の間に上の方向、または下の方向に動く足乗せ台(526)を位置させた後、上記の足乗せ台(526)に足乗せ台(526)の動きによって上の方向、または下の方向に動く第1垂直ローダー(528)を設置する。
【００４０】
そして、上記の第1及び第2支持台(520)(522)と足乗せ台(526)の間に斜めに上記の足乗せ台(526)を元の位置に戻す第1傾斜ローダー(530)を設置する。そして、上記の第1垂直ローダー(528)に斜めに上記の第1垂直ローダー(528)の動きによって上の方向、または下の方向に動く第2傾斜ローダー(532)を設置する。
【００４１】
そして、上記の第1支持台(520)と第2支持台(522)の間に水平ローダー(534)を位置した後、上記の第2傾斜ローダー(532)に第2傾斜ローダー(532)の動きによって前進、または後進する水平ローダー(534)を設置する。そして、上記の第1支持台(520)の前方と第2支持台(522)の前方の間に上下にスライディング可能にスライディング手段(536)を設置した後、上記のスライディング手段(536)を水平ローダー(534)を設置する。
【００４２】
そして、上記のスライディング手段(536)にスライディング手段(536)の動きによって上の方向、または下の方向に動く椅子の座支持台(538)を設置した後、上記の椅子の座支持台(538)に回動可能に背もたれ支持台(540)を設置する。そして、上記の第2傾斜ローダー(532)に垂直するように、第2傾斜ローダー(532)の動きによって上の方向、または下の方向に動く第2垂直ローダー(542)を設置すると同時に、上記の第2垂直ローダー(542)に第2垂直ローダー(542)の動きによって背もたれ支持台(540)を回動する回転ローラー(544)を設置する。
【００４３】
上記のように足乗せ台の操作により、椅子の座支持台及び背もたれ支持台が動くようにする椅子フレーム(502)の組み立てが完了したら、上記の椅子フレーム(502)の椅子の座支持台にクッションを提供するクッション用の座台(504)を設置すると同時に、上記の椅子フレーム(502)の背もたれ支持台にクッションを提供するクッション用の背もたれ部(506)を設置する。
【００４４】
上記のように第2実施例の座敷型シャンプー椅子の組み立てが完了したら、シャンプーするための顧客がクッション用の座台(504)に着席し、洗面台に頭を位置する場合、作業者はクッション用の背もたれ部(188)を押した後、足乗せ台(526)を下の方向に押す。
【００４５】
上記の足乗せ台(526)が下の方向へ動くにつれ、上記の足乗せ台(526)に設置された第1垂直ローダー(528)が下の方向に動く。そして、上記の第1垂直ローダー(538)が下の方向に動く時、第1垂直ローダー(528)に設置された第2傾斜ローダー(532)が下の方向に動くと同時に、上記の第2傾斜ローダー(532)は水平ローダー(534)を前方に前進させる。これにより、上記の水平ローダー(534)は進む。
【００４６】
上記の水平ローダー(534)の前進によって上記の水平ローダー(534)に繋がれたスライディング手段(536)が上の方向に動く。そして、上記のスライディング手段(536)に設置された椅子の座支持台(536)が上の方向に動いて、上記の椅子の座支持台(536)に回動可能に設置された背もたれ支持台(540)が時計回りに回動し、上記の背もたれ支持台(540)は回転ローラー(544)によって、もう一回、時計回りに回転をする。
【００４７】
したがって、上記の椅子の座支持台(536)にクッション用の座台(504)が設置され、背もたれ支持台(540)にクッション用の背もたれ部(506)が設置され、上記のクッション用の背もたれ部(506)に位置した顧客が時計回りに回動すると同時に、顧客の頭が洗面台に位置される。
【符号の説明】
【００４８】
100：座敷型シャンプー椅子02："∩"字形状の第1脚フレーム
104："∩"字形状の第2脚フレーム106：固定台108：第1突起片
110：第2突起片112：第1水平板113：第2水平板114：第1側板
116：第2側板118：支持板120：第1垂直板122：第2垂直板
132：第1シャフト134：第2シャフト136：第1回転レバー138：第2回転レバー
【手続補正２】
【補正対象書類名】特許請求の範囲
【補正対象項目名】全文
【補正方法】変更
【補正の内容】
【特許請求の範囲】
【請求項１】
第1脚フレーム(102)と；上記の第1脚フレーム(102)から一定の間隔を置いて位置された第2脚フレーム(104)と；上記の第1脚フレーム(102)の後方一側と上記の第2脚フレーム(104)の後方一側の間に設置される固定台(106)と；上記の固定台(106)の一側に設置された第3ローダー(180)と；上記の第3ローダー(180)の一側に設置され、上記の第3ローダー(180)の動きによって椅子の座支持台(150)を動かす第2ローダー(178)と；上記の第3ローダー(180)の一側に設置され、上記の第3ローダー(180)の動きによって背もたれ板(162)を動かす第1ローダー(168)を含んだのを特徴とする座敷型シャンプー椅子。
【請求項２】
第1脚フレーム(102)と；上記の第1脚フレーム(102)から一定の間隔を置いて位置された第2脚フレーム(104)と；上記の第1脚フレーム(102)の後方一側と上記の第2脚フレーム(104)の後方一側の間に設置される固定台(106)と；上記の固定台(106)の一側に設置された第3ローダー(180)と；上記の第3ローダー(180)の一側に設置され、上記の第3ローダー(180)の動きによって椅子の座支持台(150)を動かす第2ローダー(178)と；上記の第3ローダー(180)の一側に設置され、上記の第3ローダー(180)の動きによって"L"字型背もたれ支持台(158)を動かす第1ローダー(168)と；上記の"L"字型背もたれ支持台(158)に設置され、上記の"L"字型背もたれ支持台(158)の動きによって動く背もたれ板(162)を含んだのを特徴とする座敷型シャンプー椅子。
【請求項３】
足乗せ台の操作に椅子の座支持台及び背もたれ支持台が動くようにする椅子フレーム(502)と；上記の椅子フレーム(502)の椅子の座支持台に設置され、クッションを提供するクッション用の座台(504)と；上記の椅子フレーム(502)の背もたれ支持台に設置され、クッションを提供するクッション用の背もたれ部(506)を含み、
上記の椅子フレーム(502)は、上の方向または下の方向に動く足乗せ台(526)と；上記の足乗せ台(526)に設置され、足乗せ台(526)の動きによって上の方向、または下の方向に動く第1垂直ローダー(528)と；上記の第1垂直ローダー(528)に斜めに設置され、第1垂直ローダー(528)の動きによって上の方向、または下の方向に動く第2傾斜ローダー(532)と；上記の第2傾斜ローダー(532)に設置され、第2傾斜ローダー(532)の動きによって前進または後進する水平ローダー(534)と；上記の水平ローダー(534)に設置され、水平ローダー(534)の動きによって上の方向、または下の方向に動くスライディング手段(536)と；上記のスライディング手段(536)に設置され、スライディング手段(536)の動きによって上の方向、または下の方向に動く椅子の座支持台(538)を含んだのを特徴とする座敷型シャンプー椅子。
【請求項４】
足乗せ台の操作に椅子の座支持台及び背もたれ支持台が動くようにする椅子フレーム(502)と；上記の椅子フレーム(502)の椅子の座支持台に設置され、クッションを提供するクッション用の座台(504)と；上記の椅子フレーム(502)の背もたれ支持台に設置され、クッションを提供するクッション用の背もたれ(506)を含み、
上記の椅子フレーム(502)は上の方向、または下の方向に動く足乗せ台(526)と；上記の足乗せ台(526)に設置され、足乗せ台(526)の動きによって上の方向、または下の方向に動く第1垂直ローダー(528)と；上記の第1垂直ローダー(528)に斜めに設置され、第1垂直ローダー(528)の動きによって上の方向、または下の方向に動く第2傾斜ローダー(532)と；上記の第2傾斜ローダー(532)に設置され、第2傾斜ローダー(532)の動きにより前進、または後進する水平ローダー(534)と；上記の水平ローダー(534)に設置され、水平ローダー(534)の動きによって上の方向、または下の方向に動くスライディング手段(536)と；上記のスライディング手段(536)に設置され、スライディング手段(536)の動きによって上の方向、または下の方向に動く椅子の座支持台(538)と；上記の椅子の座支持台(538)に回動可能に設置された背もたれ支持台(540)と；上記の第2傾斜ローダー(532)に垂直に設置され、上記の第2傾斜ローダー(532)の動きによって上の方向、または下の方向に動く第2垂直ローダー(542)と；上記の第2垂直ローダー(542)と背もたれ支持台(540)の間に回動可能に設置され、上記の第2垂直ローダー(542)の動きによって背もたれ支持台(540)を回動する回転ローラー(544)を含んだのを特徴とする座敷型シャンプー椅子。
【手続補正３】
【補正対象書類名】図面
【補正対象項目名】全図
【補正方法】変更
【補正の内容】
【図１】
2015527121.tif 000027
【図２】
2015527121.tif 000028
【図３】
2015527121.tif 000029
【図４】
2015527121.tif 000030
【図５】
2015527121.tif 000031
【図６】
2015527121.tif 000032
【図７】
2015527121.tif 000033
【図８】
2015527121.tif 000034
【図９】
2015527121.tif 000035
【図１０】
2015527121.tif 000036
【手続補正書】
【提出日】平成27年7月14日(2015.7.14)
【手続補正１】
【補正対象書類名】手続補正書
【補正対象項目名】手続補正３
【補正方法】削除
【補正の内容】
【国際調査報告】
2015527121.tif 000037
2015527121.tif 000038
2015527121.tif 000039
2015527121.tif 000040